(57)【要約】【課題】「外側装着部材」の機能を維持しつつも、不正行為のより迅速な発見を可能とする遊技機を提供する。【解決手段】遊技盤１０と、遊技領域の外縁部を構成する領域レール部を具備し、その下半側部分から選択される部位を不正対策部位とするレール部材と、ガラス扉枠４と、不正対策部位に装着される侵入防止部材と、遊技盤１０の前面部において不正対策部位の外側に位置する部位に装着され、情報表示部（証紙５００Ｓ）を前面部に備えた外側装着部材（証紙５００Ｓ付きの証紙台５００）と、を備え、情報表示部がガラス扉枠の前方から視認可能とされる遊技機である。ガラス扉枠４の開放動作を検知するための検知手段（ガラス扉枠スイッチ４ｓ）を、外側装着部材に設けた。【選択図】図１７
2008206893.tif 000002
【特許請求の範囲】
【請求項１】
遊技領域が形成された遊技盤を保持する本体枠と、
前記遊技盤の前面部において前方に突出する状態に配設されて前記遊技領域の略円形状、略楕円形状、若しくは、略長円形状の外縁部を構成する領域レール部を具備し、前記領域レール部の下半側部分から選択される不正対策部位における左右方向に沿った一端部側に第１の被掛止部を有するレール部材と、
前記遊技盤よりも前方に配置され、左右方向に沿った一端部側がヒンジ機構を用いて前記本体枠に支持され、左右方向に沿った他端部側が係合機構を介して前記本体枠に係合されると共に、前記領域レール部の突端部との間に隙間部を形成するガラス扉枠と、
上面部を前記不正対策部位の外側面に沿わせつつ略円弧状に配置される基体部と、該基体部から延出して前記ガラス扉枠に当接する状態に配置される延出部と、を具備する侵入防止部材と、
前記遊技盤の前面部において前記不正対策部位の外側面の外側に位置する部位に突出する状態に装着され、前記不正対策部位の左右方向に沿った他端部側と対向する位置に前記基体部の左右方向に沿った他端部側を支持するための支持部を具備し、該支持部に穴状、孔状若しくは溝状の第２の被掛止部を開口させると共に、所定の情報が表示された情報表示部を前面部に備えた外側装着部材と、
を備え、
前記情報表示部の少なくとも一部が前記ガラス扉枠の前方から視認可能とされる遊技機であって、
前記基体部の上面部から突出する第１の突出片と、該第１の突出片の突端部若しくは中間部から屈曲状に突出して前記第１の被掛止部に掛止される掛止片と、を有する第１の取付用突起が、前記基体部の左右方向に沿った一端部側に設けられ、
前記基体部の下面部から突出する第２の突出片によって構成されると共に前記第２の被掛止部に挿入されて前記第２の被掛止部の内壁部に掛止される第２の取付用突起が、前記基体部の左右方向に沿った他端部側に設けられると共に、
前記ガラス扉枠の開放動作を検知するための検知手段を、前記外側装着部材に設けたことを特徴とする遊技機。
【請求項２】
遊技領域が形成された遊技盤を保持する本体枠と、
前記遊技盤の前面部において前方に突出する状態に配設されて前記遊技領域の略円形状、略楕円形状、若しくは、略長円形状の外縁部を構成する領域レール部を具備するレール部材と、
前記遊技盤よりも前方に配置され、左右方向に沿った一端部側がヒンジ機構を用いて前記本体枠に支持され、左右方向に沿った他端部側が係合機構を介して前記本体枠に係合されると共に、前記領域レール部の突端部との間に隙間部を形成するガラス扉枠と、
上面部を、前記領域レール部の下半側部分から選択される前記不正対策部位の外側面に沿わせつつ略円弧状に配置される基体部と、該基体部から延出して前記ガラス扉枠に当接する状態に配置される延出部と、を具備する侵入防止部材と、
前記遊技盤の前面部において前記不正対策部位の外側面の外側に位置する部位に突出する状態に装着され、前記不正対策部位の左右方向に沿った一端部側と対向する位置に前記基体部の左右方向に沿った一端部側を支持するための支持部を具備し、該支持部に穴状、孔状若しくは溝状の被掛止部を開口させた外側支持部材と、
前記遊技盤の前面部において前記不正対策部位の外側面の外側に位置する部位に突出する状態に装着され、前記不正対策部位の左右方向に沿った他端部側と対向する位置に前記基体部の左右方向に沿った他端部側を支持するための支持部を具備し、該支持部に穴状、孔状若しくは溝状の被掛止部を開口させた外側装着部材と、
を備え、
前記外側支持部材及び前記外側装着部材のうちの少なくとも外側装着部材が、所定の情報が表示された情報表示部を前面部に備え、前記情報表示部の少なくとも一部が前記ガラス扉枠の前方から視認可能とされる遊技機であって、
前記基体部の左右方向に沿った各端部側に、前記基体部の下面部から突出する突出片によって構成されると共に、対応する前記被掛止部に挿入されて前記被掛止部の内壁部に掛止される取付用突起が、各々設けられ、
前記ガラス扉枠の開放動作を検知するための検知手段を、前記外側装着部材に設けたことを特徴とする遊技機。
【請求項３】
遊技領域が形成された遊技盤を保持する本体枠と、
該遊技盤の前面部において前方に突出する状態に配設されて前記遊技領域の略円形状、略楕円形状、若しくは、略長円形状の外縁部を構成する領域レール部を具備するレール部材と、
前記遊技盤よりも前方に配置され、左右方向に沿った一端部側がヒンジ機構を用いて前記本体枠に支持され、左右方向に沿った他端部側が係合機構を介して前記本体枠に係合されると共に、前記領域レール部の突端部との間に隙間部を形成するガラス扉枠と、
前記遊技盤のうちで前記遊技領域の外側に位置する部位に装着され、前記遊技盤の前面部から突出する状態とされると共に、所定の情報が表示された情報表示部を前面部に備えた外側装着部材と、
を備え、前記情報表示部の少なくとも一部が前記ガラス扉枠の前方から視認可能とされる遊技機であって、
前記外側装着部材のうちで、前記情報表示部の周囲から選択される所定の部位に対して、前方に突出する不正防止用リブが設けられると共に、
前記ガラス扉枠の開放動作を検知するための検知手段を、前記外側装着部材に設けたことを特徴とする遊技機。
【請求項４】
前記検知手段は、
前記遊技盤の前面部と前記ガラス扉枠の後面部との間の距離が、所定の距離を超えた場合に、検知信号を出力する検知スイッチであることを特徴とする請求項１〜３の何れか一項に記載の遊技機。
【発明の詳細な説明】
【技術分野】
【０００１】
本発明は、遊技機に関し、特に、いわゆるセブン機、羽根物、権利物等の弾球遊技機に適用されるものである。
【背景技術】
【０００２】
弾球遊技機は、通常、（１）設置部位に固定される外枠と、（２）外枠の左端側に開閉自在に取り付けられる本体枠（中枠）と、（３）本体枠の保持部によって、前面部を前方（遊技者方向）に向けた状態で、しかも、着脱自在な状態に保持される遊技盤と、（４）遊技盤の前面部を覆うガラス板を具備しつつ、左端側がヒンジ機構を介して本体枠の左端側に支持され、本体枠の前面部の前方に向かって開閉動作可能な状態とされるガラス扉枠（前面枠）と、（５）本体枠の前面部側のうちで、ガラス扉枠の装着位置よりも下方側の部位に、開閉可能な状態で装着される受皿扉体（上皿部材）と、（６）本体枠の前面部側のうちで、受皿扉体の下方の部位に配置される下皿部材等を備えている。尚、遊技の実行時（遊技機の使用時）において、ガラス扉枠は、本体枠に対して閉鎖状態とされると共に、所定の施錠機構を介して、本体枠の右端側に施錠された状態とされる。
【０００３】
この遊技機を構成する遊技盤の前面部には、「外側レールと内側レールとを備えるレール部材」が前方に突出する状態に配置される。そして、このレール部材を構成する「領域レール部」を用いて遊技領域の略円形の外縁部（外周壁）を構成している。つまり、遊技盤の前面部には、（Ａ）長尺な帯状板（一般には、金属製）を、開口部を下方若しくは側方に向けた略円弧形状（Ｃの字状）としつつ配置して構成される外側レールと、（Ｂ）外側レールの配置箇所の内側において、長尺な帯状板（一般には、金属製）を、開口部を上方に向けた略円弧形状（Ｃの字状）としつつ配置して構成される内側レールと、が配設される。
【０００４】
そして、遊技盤の前面部側において、外側レールと内側レールとが、略円形状、略楕円形状、若しくは略長円形状に取り囲む部位が遊技領域と称される。また、遊技盤の前面部の左端側において、外側レールと内側レールとの間に形成される球通路が、誘導通路と称される。更に、遊技領域内において、最下部にアウト口が設けられ、この最下部よりも上方の位置に、各種の入賞装置（大入賞装置、始動入賞装置、その他の入賞装置等）、入球ゲート、画像表示装置、障害釘等が配設されている。ここで、画像表示装置とは、遊技に関連する画像を表示するための表示装置であって、例えば、液晶表示装置によって構成される。
【０００５】
また、本体枠の前方であって、遊技盤の下方の部位には、発射装置と、左上がり傾斜状の発射レールとが配置されている。そして、この遊技機においては、発射装置から打ち出された遊技球が、発射レールに沿って上昇し、更に、誘導通路を経て遊技盤の左上部に導かれる。そして、この遊技球は、内側レールの左上端部と、外側レールの左上端部との間に形成される入口部を通じて遊技領域内に放出され、この遊技領域を流下する構成とされている。
【０００６】
この弾球遊技機が、例えば、セブン機である場合、遊技領域内に、始動入賞装置（始動口）と、大入賞装置と、を配設している。また、この弾球遊技機は、当該遊技機の遊技状態を通常遊技状態から大当り遊技状態（つまり、特別遊技状態）に移行させるか否かの判定（以下、「当否判定」ということがある。）を行う判定手段と、この判定の結果を示す判定結果図柄の確定表示等を行う図柄表示手段（例えば、液晶表示装置等によって構成）と、を備えている。
【０００７】
この大入賞装置は、通常、入賞口（大入賞口）と、入賞口の開閉を行うための開閉部材と、当該入賞口を通じて入賞した遊技球を検出するための入賞球検出手段（入賞球検出スイッチ）と、を具備している。このうち、開閉部材は、通常、扉型に構成され、遊技盤の前面部に設けられる取付部に取付られている。この開閉部材は、下端部側に傾動支点を設けつつ、前後に傾動可能（回動可能）な状態とされている。この開閉部材は、「入賞口を閉鎖する起立姿勢」及「入賞口を開放する前傾姿勢」の間で適宜、姿勢変更を行うことが可能とされている。そして、この開閉部材の姿勢は、入賞口の開放許容条件の不成立時に起立姿勢とされ、入賞口の開放許容条件の成立時に前傾姿勢とされる。
【０００８】
ここで、「通常遊技状態」とは、入賞口の開放許容条件を継続的に不成立とし、「入賞口の閉鎖状態を継続する遊技状態」を指す。また、「大当り遊技状態」とは、入賞口の開放許容条件を、所定回数に渡って間欠的に成立させ、「入賞口の開放状態を、間欠的に実現させる遊技状態」を指す。また、以下の説明において、開閉部材の姿勢を、起立姿勢から前傾姿勢に変更し、再び、起立姿勢に戻す動作、つまり、入賞口を開閉する動作を、「単位動作」と称することがある。
【０００９】
このセブン機では、「始動入賞装置への遊技球の入賞（以下、「始動入賞」という。）」を検出することを前提として、前述の「判定」の実行条件（つまり、判定実行条件）が成立する。更に、この「判定の結果を示す図柄（判定結果図柄）」の表示実行条件が成立すると、図柄表示手段において、先ず、演出表示が実行される。この演出表示は、通常、「複数若しくは単一の識別図柄（つまり、特別図柄）」を順次、循環表示することを内容とする表示（つまり、変動表示）である。そして、この演出表示を所定の変動時間行った後に、図柄表示手段において、判定結果図柄が確定表示（停止表示）される。
【００１０】
この判定結果図柄が、大当り図柄（判定結果が大当りであったことを示す図柄）である場合（例えば、「７，７」若しくは「７，７，７」等、構成図柄をゾロ目状態に表示してなる「ゾロ目図柄」である場合や、「７」等の単一の特定図柄である等）には、遊技機の遊技状態が「通常遊技状態」から「大当り遊技状態（特別遊技状態）」に移行する。そして、遊技機の遊技状態が「大当り遊技状態（特別遊技状態）」に移行すると、開閉部材に、所定の回数（所謂、「ラウンド数」であって、例えば、１４〜１６回）に渡って「単位動作」が施される。
【００１１】
つまり、遊技機の遊技状態が「大当り遊技状態（特別遊技状態）」に移行すると、開閉部材の開放動作を行って、閉鎖状態にある大入賞装置を開放状態に変化させる。これにより、入賞口への遊技球の入賞が可能となる。この後、この入賞口に所定個数の遊技球が入賞するか、所定時間が経過することにより、一旦、開閉部材の閉鎖動作を行い（開閉部材の姿勢を起立姿勢に戻し）、大入賞装置を閉鎖状態とし、開閉部材に施される「１回の単位動作」を完了する。つまり、開閉部材の姿勢を閉鎖姿勢から開放姿勢に変更し、再び、閉鎖姿勢に戻す、単位動作を完了する。そして、この「開閉部材の単位動作」が、所定の回数（所謂、「ラウンド数」）だけ繰り返されると、この遊技機の遊技状態は「大当り遊技状態」から「通常遊技状態」に戻される。
【００１２】
ところが、この大入賞装置のような「開閉式の入賞装置（以下、可変入賞装置という。）」を備える遊技機においては、不正行為者が、以下のような「不正行為」を行うことがある。先ず、ガラス扉枠と、本体枠との間に存在する僅かな隙間部に、「不正行為を補助するための工具（例えば、薄い板状体、バール等であって、以下、「不正補助具」という。）」の先端部を挿入する。次いで、不正補助具を、「てこ」のようにして用いつつ、ガラス扉枠に開放動作を施す。つまり、ガラス扉枠を、こじ開けて、「ガラス扉枠と本体枠との間の隙間部」を拡大させる。そして、この隙間部を通じて、遊技機の内部（具体的には、上皿扉体の背後に位置する部位、若しくは、ガラス扉枠の背後に位置する部位等）に、ピアノ線や針金のような部材（以下、「不正部材」という。）を差し込む。
【００１３】
更に、この不正部材の先端部を、「レール部材の突端部と、ガラス扉枠との間に形成される隙間部」を通じて遊技領域内に侵入させ、開閉部材の上端側に引っ掛ける。そして、この状態で、不正部材を下方に引っ張り、開閉部材の姿勢を無理に、前傾姿勢に変化させ、可変入賞装置に遊技球を不正に入賞させる、という不正行為が行われることがある。この場合、不正行為者は、当該遊技機の遊技状態が、通常遊技状態であるにもかかわらず、開閉部材の姿勢を無理に前傾姿勢に変化させることで、不正に賞球を得ることとなる。
【００１４】
一方、遊技盤の前面部において、遊技領域の外側に位置する部位には、種々の遊技機部品（装着部材）が装着されている。かかる遊技機部品の中には、少なくとも一部がガラス扉枠の前方から視認可能とされるものがある。例えば、「遊技盤の前面部のうちで、遊技領域及び誘導通路の外側に位置する領域（以下、周辺領域という。）」には、所謂、「証紙台」が装着される（特許文献１の図１等を参照、以下、「従来例」という。）。この証紙台は、通常、透明な樹脂を用いて構成されると共に、周辺領域のうちの下方側の位置において、遊技盤の前面部から前方に突出する状態に配置される。
【００１５】
この証紙台の前面部には、「当該遊技機に関する情報（製造メーカ、製造番号等）」が表示された証紙が貼付される。そして、証紙台の機能（情報を発信するという機能）を確保するために、ガラス扉枠のうちで「証紙」の前方に位置する部位が「窓部」等とされ、ガラス扉枠の前方から「証紙」が視認可能とされる。、以下の説明において、「証紙が貼付された証紙台」を、「証紙付き証紙台」ということがある。
【特許文献１】特開２００２−２７２９２０号公報
【発明の開示】
【発明が解決しようとする課題】
【００１６】
ところで、この証紙台は、遊技盤の「右下の角部寄りの箇所」に装着されるが、「手口の巧妙な不正行為者」は、この「証紙台の周囲」に狙いを定めて不正行為を実行する可能性がある。
【００１７】
即ち、「ガラス扉枠において証紙台の前方に位置する部位」、換言すると、「ガラス扉枠の右下の角部寄りの箇所」は、ヒンジ機構から離れた位置に存在するため、「ガラス扉枠に開放動作が施されたときの変位や撓み（無理な開放動作が施された場合の撓み）」が大きくなる。従って、「ガラス扉枠の右下の角部寄りの箇所」と「本体枠」との間に、「不正補助具の先端部」に挿入すれば、「不正部材を差し込む上で十分なサイズの隙間部（ガラス扉枠と本体枠との間の隙間部）」を形成することが容易である。しかも、「遊技機において、証紙とガラス扉枠との間に存在する空間部分（以下、「証紙前空間部分」という。）」は、前述の「窓部」によって、ガラス扉枠の前方から視認可能とされている。
【００１８】
このため、「手口の巧妙な不正行為者」は、「ガラス扉枠の右下の角部寄りの箇所」と「本体枠」との間に「不正補助具の先端部」に挿入しつつ、「証紙前空間部分」を「不正部材の通過路」として選択することで、この「先端部」を遊技領域内の目的の位置（大入賞装置が配設された位置）に素早く、到達させる可能性がある。つまり、「手口の巧妙な不正行為者」は、「ガラス扉枠の本体枠に対する装着態様」や、「外側装着部材（証紙付き証紙台等）の設置箇所の周囲の状況等」を巧みに利用しつつ、不正行為を素早く、遂行してしまう（成功させてしまう）可能性がある。
【００１９】
従って、この種の遊技機においては、外側装着部材（証紙付き証紙台等）の機能（情報を発信するという機能）を維持しつつも、この種の不正行為の迅速な発見を可能としたり、この種の不正行為の抑制を図ったり、この種の不正行為の遂行をより困難なものとすること（不正行為の成功率を「ゼロ」にしたり、低くすること）が要求される。
【００２０】
本発明は、このような問題を解決するためになされたものであり、その目的とするところは、「外側装着部材」の機能を維持しつつも、不正行為の早期発見が可能となる遊技機を提供することである。
【００２１】
本発明の他の目的は、不正行為の抑制が可能な遊技機を提供することである。
【００２２】
本発明の他の目的は、「外側装着部材」の機能を維持しつつも、不正行為の遂行がより困難な遊技機を提供することである。
【課題を解決するための手段】
【００２３】
請求項１に記載の遊技機は、
遊技領域が形成された遊技盤を保持する本体枠と、
前記遊技盤の前面部において前方に突出する状態に配設されて前記遊技領域の略円形状、略楕円形状、若しくは、略長円形状の外縁部を構成する領域レール部を具備し、前記領域レール部の下半側部分から選択される不正対策部位における左右方向に沿った一端部側に第１の被掛止部を有するレール部材と、
前記遊技盤よりも前方に配置され、左右方向に沿った一端部側がヒンジ機構を用いて前記本体枠に支持され、左右方向に沿った他端部側が係合機構を介して前記本体枠に係合されると共に、前記領域レール部の突端部との間に隙間部を形成するガラス扉枠と、
上面部を前記不正対策部位の外側面に沿わせつつ略円弧状に配置される基体部と、該基体部から延出して前記ガラス扉枠に当接する状態に配置される延出部と、を具備する侵入防止部材と、
前記遊技盤の前面部において前記不正対策部位の外側面の外側に位置する部位に突出する状態に装着され、前記不正対策部位の左右方向に沿った他端部側と対向する位置に前記基体部の左右方向に沿った他端部側を支持するための支持部を具備し、該支持部に穴状、孔状若しくは溝状の第２の被掛止部を開口させると共に、所定の情報が表示された情報表示部を前面部に備えた外側装着部材と、
を備え、
前記情報表示部の少なくとも一部が前記ガラス扉枠の前方から視認可能とされる遊技機であって、
前記基体部の上面部から突出する第１の突出片と、該第１の突出片の突端部若しくは中間部から屈曲状に突出して前記第１の被掛止部に掛止される掛止片と、を有する第１の取付用突起が、前記基体部の左右方向に沿った一端部側に設けられ、
前記基体部の下面部から突出する第２の突出片によって構成されると共に前記第２の被掛止部に挿入されて前記第２の被掛止部の内壁部に掛止される第２の取付用突起が、前記基体部の左右方向に沿った他端部側に設けられると共に、
前記ガラス扉枠の開放動作を検知するための検知手段を、前記外側装着部材に設けたことを特徴とする。
【００２４】
請求項１の発明によると、「ガラス扉枠に不正な開放動作が施された時点（ガラス扉枠が無理に、こじ開けられた時点）」で、この開放動作を検知手段によって検知することができる。つまり、「ガラス扉枠と本体枠との間に存在する隙間部に、不正補助具が差し込される行為」が素早く行われたとしても、検知手段によって、この行為を検知することができる。よって、請求項１の発明によると、「不正行為の主体をなす不正部材（ピアノ線や針金等）」が遊技機の内部に差し込まれる前の段階で、素早く対処すること（つまり、不正行為を早期に発見すること）ができる。
【００２５】
また、請求項１の検知手段は、遊技盤に直接、装着されるのではなく、「遊技盤の前面部よりも前方に突出する外側装着部材」を介して、遊技盤に装着される。つまり、遊技盤の前面部よりも、ガラス扉枠に近い位置に検知手段が装着される。加えて、検知手段が、「ガラス扉枠においてヒンジ機構から離間する部位」、即ち、「ガラス扉枠に開放動作を施す際に（ガラス扉枠を、こじ開ける際に）、変位や撓みが大きくなる部位」に配置され、「ガラス扉枠の不正な開放動作」を素早く、確実に検知できる。よって、請求項１の発明によると、この点からも、「ガラス扉枠に施される不正な開放動作」を早期に発見できる。
【００２６】
尚、検知手段を、「遊技盤若しくは本体枠において、上端側に位置する部位」に装着することも考えられる。但し、この検知手段（以下、「上方検知手段」という。）のみによっては、「ガラス扉枠に施される不正な開放動作」を「確実に、しかも、素早く、検知すること」は困難な場合がある。前述のように、「手口の巧妙な不正行為者」は、ガラス扉枠の「左右方向に沿った一端部側であって、しかも、下端側に位置する部位（例えば、「右下の角部寄りの箇所」）に狙いを定めて不正行為を実行することがある。
【００２７】
この場合、「開放動作が施されるガラス扉枠」において、「上方検知手段の前方に位置する部位の変位」、つまり、「ガラス扉枠の左右方向に沿った一端部側であって、上端側に位置する部位（例えば、「右上の角部寄りの箇所」）」の変位は、「ガラス扉枠の左右方向に沿った一端部側であって、下端側に位置する部位（右下の角部寄りの箇所）」の変位に比べて小さくなるからである。但し、各請求項の発明においては、各請求項の検知手段と共に、この「上方検知手段」を備えてもよい。
【００２８】
また、請求項１の発明によると、仮に、検知手段が、「ガラス扉枠に施された不正な開放動作」を検出できなかった場合（例えば、ガラス扉枠の開放動作量が、検知手段で検出できないほど、微量である場合等）であっても、「不正対策部位に装着された侵入防止部材」によって、「不正行為の遂行」を困難なものとできる。例えば、不正行為者が、「証紙前空間部分」を「ガラス扉枠の前方から視認可能な通過路」として使用しても、不正部材の先端部が、侵入防止部材に衝突し、不正部材の行く手が遮られる可能性を生ずるからである。
【００２９】
更に、請求項１の発明によると、「不正対策部位に装着される侵入防止部材」を用いて、「領域レール部の下方の広範な位置から可変入賞装置を狙う不正行為」にも、対処可能である。例えば、「受皿扉体（上皿部材）に不正に開けられた侵入孔（ドリルや半田ゴテ等を用いて開けられた孔）」や、「受皿扉体の上皿導入口（遊技機内の遊技球を導くための導入口）」を通じて、遊技機の内部に不正部材を差し込み、この不正部材の先端部を遊技領域内に侵入させ、この先端部を用いて可変入賞装置を無理に開放させ、この可変入賞装置に遊技球を不正に入賞させる、という不正行為」に対しても、対処可能である。
【００３０】
このように、請求項１の発明においては、外側装着部材に的確な改良を施すと共に侵入防止部材を用いるため、「外側装着部材」の機能を維持しつつも、不正行為の早期発見が可能で、しかも、不正行為の遂行がより困難な遊技機が得られる。また、請求項１の発明の遊技機においては、このように、不正行為が早期に発見され、しかも、不正行為の遂行が困難なため、不正行為者の側で、不正行為の実行を回避することになり易い。つまり、請求項１の発明によると、不正行為を抑制できる遊技機が得られる。
【００３１】
また、請求項１の発明によると、「遊技機を構成する遊技機部品」として汎用的に使用される証紙台に改良を加え、これを、「検知手段を遊技盤に取り付けるための取付部材」として利用する。このため、請求項１の発明に係る構成を採用することが原因で、遊技機を構成する部品点数が増加したり、遊技盤の構造が複雑化することはない。
【００３２】
更に、請求項１の発明によると、侵入防止部材の取付状態の良好化の要請と取付作業の円滑化の要請とを同時に満足させることができる。この点に関し、比較例を用いて説明する。つまり、比較例１に係る「侵入防止部材の取付手法」として、（１）侵入防止部材の両端部を含む複数箇所を、ビスを用いて不正対策部位に取り付ける手法（以下、「取付手法１」という。）を例示することができる。また、比較例２に係る「侵入防止部材の取付手法」として、図４２に示すように、（２）侵入防止部材９００の両端部側に対して、遊技領域の中心部方向に突出すると共に略フック形状の取付部９０１、９０２を設け、不正対策部位９５０の両端部に被取付孔９５１、９５２を設ける。そして、侵入防止部材９００の左端部側の取付部９０１を、不正対策部位９５０の左端部側の被取付孔９５１に取り付け、侵入防止部材９００の右端部側の取付部９０２を、不正対策部位９５１の右端部に被取付孔９５２に取り付けて、侵入防止部材９００を不正対策部位９５０に取り付ける手法（以下、「取付手法２」という。）を例示することができる。
【００３３】
ところが、取付手法１を用いる場合、侵入防止部材の不正対策部位に対する密着度を高めて、侵入防止部材の取付状態の良好化を図ることが容易であるが、この侵入防止部材の取付作業の円滑化を図ることは困難である。蓋し、侵入防止部材の取付作業に際しては、面倒なビス止め作業を行うことが必要であるからである。
【００３４】
一方、取付手法２を用いる場合、侵入防止部材９００の取付作業の円滑化を図ることが容易であるが、侵入防止部材９００の取付状態の良好化を図ることは困難である。蓋し、取付手法２を用いると、侵入防止部材９００が不正対策部位９５０に対して密着せず、下方に弛んだ状態となり易いからである。より具体的には、取付手法２を用いる場合、左右の取付部９０１、９０２の間隔を左右の被取付孔９５１、９５２の間隔よりも、若干、大きめに設定し、左右の取付部９０１、９０２の間隔と、左右の被掛止孔９０１、９０２の間隔との間のクリアランス（遊び）を設けなければ、侵入防止部材９００の取り付けを行うことが困難となる。
【００３５】
つまり、一方の取付部９０１を一方の被取付孔９５１に取り付けた後、侵入防止部材９００を不正対策部位９５０（内側レール）の周方向に若干、スライドさせて、他方の取付部９０２を他方の被取付孔９５２に取り付け、侵入防止部材９００の取付を完了することになる。このため、取付手法２を用いる場合、侵入防止部材９００の取付後に、左右の取付部９０１、９０２の間隔と、左右の被取付孔９５１、９５２の間隔との間のクリアランス（遊び）の分だけ、侵入防止部材が下方に弛んだ状態となり易いからである。
【００３６】
そして、この弛みを発生すると、以下のような不具合を生ずる。即ち、不正対策部位９５０の下方には、通常、前述の発射レールが配設される。このため、侵入防止部材９００に弛みが発生すると、発射レール上の遊技球（発射球）が侵入防止部材９００に接触し、球飛びが不安定になる等の問題を生ずることがある。
【００３７】
尚、図４３に示すように、侵入防止部材９００の左右両端部側に対して、遊技領域の中心部方向に略直線状に突出する突出片９６１、９６２を設け、不正対策部位９５０の両端部に被取付孔９５１、９５２を設ける態様を例示することもできる。この態様では、各突出片９６１、９６２を対応する被取付孔９５１、９５２に挿入し、各突出片９６１、９６２を遊技領域の内側に臨ませる。そして、各突出片９６１、９６２を、不正対策部位９５０（内側レール）の周方向に屈曲させて、侵入防止部材９００の取付を完了することになる。この態様によると、侵入防止部材９００の取付状態の良好化を図ることができるが、侵入防止部材９００の取付作業が煩雑となる。蓋し、侵入防止部材９００の取付作業の際に、各突出片９６１、９６２を屈曲させる作業が必要となるが、その作業は、前述の「ビス止め作業」と同様に、煩雑で作業性が悪いからである。
【００３８】
これに対して、請求項１の発明では、第１の取付用突起が、上方に突出する第１の突出片と、第１の突出片から屈曲状に突出して、第１の被掛止部に掛止される掛止片と、を備える。また、第２の取付用突起が下方に突出する状態に構成されると共に第２の被掛止部に挿入されて第２の被掛止部の内壁部に掛止される。例えば、第１の取付用突起を、基体部の上面部から突出する略Ｌ字状（略フック形状）の突起によって構成し、第２の掛止用突部を、基体部の下面部から略平板状等に突出する突起によって構成する。そして、請求項１の発明では、第１の取付用突起及び第２の取付用突起の間隔と、第１の被掛止部及び第２の被掛止部の間隔と、の間のクリアランス（遊び）を無くしたり、このクリアランスを少なくしても、侵入防止部材の取付作業を円滑に行うことができる。尚、請求項１の発明において、「第１の突出片から屈曲状に突出する」とは、「第１の突出片に対して屈曲する状態に突出する」こと、換言すると、第１の突出片の突出方向と異なる方向に向かって突出する」こと指し、例えば、第１の突出片の突出方向が上方である場合に、左右一方の方向等に突出すること等を指す。
【００３９】
より具体的には、第１の取付用突起の掛止部を不正対策部位の周方向にスライドさせつつ、第１の被掛止部に掛止し、侵入防止部材の一端部側を不正対策部位の一端部側に取り付ける（引っ掛ける）。つまり、略Ｌ字状（略フック形状）等に構成される「第１の取付用突起」を不正対策部位の周方向にスライドさせつつ、その「掛止部」を第１の被掛止部に対して、遊技領域の半径方向に沿った外側方向に向かって当接させて掛止する。この後、遊技領域の半径外側方向に突出する第２の取付用突起を、そのまま（第２の取付用突起を、不正対策部位の周方向にスライドさせることなく）、第２の被掛止部に挿入するだけで、第２の取付用突起は第２の被掛止部に掛止され、侵入防止部材の他端部側は外側装着部材に取り付けられる（引っ掛けられる）。
【００４０】
換言すると、通常、後から取り付けられる「第２の取付用突起」の取り付けを、第２の取付用突起を第２の被掛止部に単に挿入するだけで（第２の取付用突起を、不正対策部位の周方向にスライドさせることなく）完了する。このため、請求項１の発明では、第１の取付用突起及び第２の取付用突起の間隔と、第１の被掛止部及び第２の被掛止部の間隔と、の間のクリアランス（遊び）を無くしたり、このクリアランスを少なくしても、侵入防止部材の取付を円滑に行うことができる。
【００４１】
請求項１の発明では、このように、前記「クリアランス（遊び）」を無くすか、少なくすると共に、不正対策部位の左右方向に沿った他端部側が、外側装着部材（支持部）によって支持される。このため、侵入防止部材が、不必要に下方に弛んだ状態となることはない。従って、請求項１の発明の遊技機によると、侵入防止部材の取付状態の良好化の要請と取付作業の円滑化の要請とを同時に満足させることができる。
【００４２】
また、請求項１の発明によると、「情報の表示を行うために遊技盤に装着される部材（遊技機情報表示用の部材）」を用いて、侵入防止部材を支持する。つまり、「侵入防止部材を支持するためのだけに用いる部材」を遊技機に付加することなく（換言すると、遊技機に加える改良を少なくしつつ）、前述の効果（つまり、侵入防止部材の取付状態の良好化の要請と取付作業の円滑化の要請とを同時に満足させる旨の効果）を得ることができる。
【００４３】
ここで、本明細書において、「前」及び「表」は、「遊技機を基準とする前方（つまり、遊技者に近接する方向）」を示し、「後」及び「裏」は、遊技機を基準とする後方（つまり、遊技者から離間する方向）」を示す。また、「左」とは、遊技者から見て「左」であることを示し、「右」とは「遊技者から見て右」であることを示す。更に、本体枠、カラス扉枠、受皿扉体（上皿部材）、下皿部材等の扉型の部材（左右方向に沿った一側が軸支され、開閉可能とされる部材）の「左」、「右」、「前」、「後」等は、これらの扉型の部材が使用状態にある場合、つまり、閉鎖された状態にある場合を基準としたものである。
【００４４】
また、本明細書において、（１）「左右方向に沿った一端部」が「左端部」とされ、「左右方向に沿った他端部」が「右端部」とされる態様を採用してもよいし、（２）「左右方向に沿った一端部」が「右端部」とされ、「左右方向に沿った他端部」が「左端部」とされる態様を採用してもよい。また、各請求項の発明において「不正対策部位」とは、「領域レール部の下半側部分」のうちで、「不正部材の侵入を防止するための対策を施すべき部位」であって、例えば、「内側レールのうちで、その最下部を含む円弧状の部位」によって構成される。この不正対策部位は、「内側レールの最下部」を基準に左右に対称とされてもよいし、非対称とされてもよい。更に、各請求項の発明の遊技機において、「不正対策部位の左右方向に沿った一端部側」とは、「不正対策部位の左右方向に沿った中心部」よりも、「左右方向に沿った一端部」側に位置する箇所を指し、「不正対策部位の左右方向に沿った他端部側」とは、「不正対策部位の左右方向に沿った中心部」よりも、「左右方向に沿った他端部」側に位置する箇所を指す。
【００４５】
請求項２に記載の遊技機は、
遊技領域が形成された遊技盤を保持する本体枠と、
前記遊技盤の前面部において前方に突出する状態に配設されて前記遊技領域の略円形状、略楕円形状、若しくは、略長円形状の外縁部を構成する領域レール部を具備するレール部材と、
前記遊技盤よりも前方に配置され、左右方向に沿った一端部側がヒンジ機構を用いて前記本体枠に支持され、左右方向に沿った他端部側が係合機構を介して前記本体枠に係合されると共に、前記領域レール部の突端部との間に隙間部を形成するガラス扉枠と、
上面部を、前記領域レール部の下半側部分から選択される前記不正対策部位の外側面に沿わせつつ略円弧状に配置される基体部と、該基体部から延出して前記ガラス扉枠に当接する状態に配置される延出部と、を具備する侵入防止部材と、
前記遊技盤の前面部において前記不正対策部位の外側面の外側に位置する部位に突出する状態に装着され、前記不正対策部位の左右方向に沿った一端部側と対向する位置に前記基体部の左右方向に沿った一端部側を支持するための支持部を具備し、該支持部に穴状、孔状若しくは溝状の被掛止部を開口させた外側支持部材と、
前記遊技盤の前面部において前記不正対策部位の外側面の外側に位置する部位に突出する状態に装着され、前記不正対策部位の左右方向に沿った他端部側と対向する位置に前記基体部の左右方向に沿った他端部側を支持するための支持部を具備し、該支持部に穴状、孔状若しくは溝状の被掛止部を開口させた外側装着部材と、
を備え、
前記外側支持部材及び前記外側装着部材のうちの少なくとも外側装着部材が、所定の情報が表示された情報表示部を前面部に備え、前記情報表示部の少なくとも一部が前記ガラス扉枠の前方から視認可能とされる遊技機であって、
前記基体部の左右方向に沿った各端部側に、前記基体部の下面部から突出する突出片によって構成されると共に、対応する前記被掛止部に挿入されて前記被掛止部の内壁部に掛止される取付用突起が、各々設けられ、
前記ガラス扉枠の開放動作を検知するための検知手段を、前記外側装着部材に設けたことを特徴とする。
【００４６】
請求項２の発明では、「外側支持部材を用いて侵入防止部材の一端部側を支持する点」を除いて、請求項１の発明と同様である。よって、請求項２の発明においても、外側装着部材に的確な改良を施すと共に侵入防止部材を併用いるため、「外側装着部材」の機能を維持しつつも、不正行為の早期発見が可能で、しかも、不正行為の遂行がより困難な遊技機が得られる。また、請求項２の発明の遊技機においても、不正行為の抑制が可能な遊技機を得ることができる。
【００４７】
また、請求項２の発明では、左右の両取付用突起を、被掛止部に挿入させて、その内壁部に掛止される構成とする。このため、両取付用突起の間隔と、両被掛止部の間隔と、の間のクリアランス（遊び）を無くしたり、このクリアランスを少なくしても、侵入防止部材の取付作業を円滑に行うことができる。具体的には、遊技領域の半径外側方向に突出する両取付用突起を、そのまま（第２の取付用突起を、不正対策部位の周方向にスライドさせることなく）、対応する被掛止部に挿入し、侵入防止部材の両端部側を対応する外側装着部材に取り付け（引っ掛け）ればよい。このため、請求項２の発明では、両取付用突起の間隔と、両被掛止部の間隔と、の間のクリアランス（遊び）を無くしたり、このクリアランスを少なくしても、侵入防止部材の取付を円滑に行うことができる。
【００４８】
請求項２の発明では、このように、前記クリアランス（遊び）を無くするか、少なくすると共に、不正対策部位の左右方向に沿った他端部側が、外側装着部材（支持部）によって支持される。このため、侵入防止部材が、不必要に下方に弛んだ状態となることはない。従って、請求項２の発明の遊技機によっても、侵入防止部材の取付状態の良好化の要請と取付作業の円滑化の要請とを同時に満足させることができる。尚、外側支持部材及び外側装着部材を別体としてもよいが、一体の装着部材（遊技盤に装着される部材）としてもよい。
【００４９】
請求項３の発明の遊技機は、
遊技領域が形成された遊技盤を保持する本体枠と、
該遊技盤の前面部において前方に突出する状態に配設されて前記遊技領域の略円形状、略楕円形状、若しくは、略長円形状の外縁部を構成する領域レール部を具備するレール部材と、
前記遊技盤よりも前方に配置され、左右方向に沿った一端部側がヒンジ機構を用いて前記本体枠に支持され、左右方向に沿った他端部側が係合機構を介して前記本体枠に係合されると共に、前記領域レール部の突端部との間に隙間部を形成するガラス扉枠と、
前記遊技盤のうちで前記遊技領域の外側に位置する部位に装着され、前記遊技盤の前面部から突出する状態とされると共に、所定の情報が表示された情報表示部を前面部に備えた外側装着部材と、
を備え、前記情報表示部の少なくとも一部が前記ガラス扉枠の前方から視認可能とされる遊技機であって、
前記外側装着部材のうちで、前記情報表示部の周囲から選択される所定の部位に対して、前方に突出する不正防止用リブが設けられると共に、
前記ガラス扉枠の開放動作を検知するための検知手段を、前記外側装着部材に設けたことを特徴とする。
【００５０】
請求項３の発明においても、「外側装着部材」に対して、請求項１の発明と同様な改良を施す。よって、「外側装着部材」の機能を維持しつつも、不正行為の早期発見が可能な遊技機が得られる。また、請求項３の発明においては、外側装着部材に不正防止用リブを設けるため、「外側装着部材」の機能を維持しつつも、不正行為の遂行がより困難な遊技機が得られる。例えば、不正行為者が、「証紙前空間部分」を「ガラス扉枠の前方から視認可能な通過路」として使用しようとても、不正部材の先端部が、侵入防止部材に衝突し、不正部材の行く手が遮られる可能性を生ずるからである。
【００５１】
請求項３の発明の「外側装着部材」において、「不正防止用リブの形成態様」を種々選択できる。例えば、（１）情報表示部の周囲を包囲する状態に形成される態様、（２）情報表示部の周囲において、開放部を備えた壁状に形成される態様（情報表示部の周囲において、略円弧状、略Ｌ字状、略くの字状、略Ｕ字状、略Ｖ字状、若しくは、略Ｗ字状等の経路を描きつつ形成される態様）、（３）情報表示部の周囲において、直線状に設けられる態様（情報表示部の周囲において、略直線状の経路を描きつつ形成される態様）、（４）情報表示部の周囲において、「所定の間隔で設けられる複数のリブ片」により構成される態様、等を例示できる。ここで、（２）の態様においては、不正防止用リブが、遊技領域の中心部若しくは大入賞装置の方向に向かって「閉じた形状」を備えることが望ましい。例えば、外側装着部材が、遊技領域の右斜め下方に配置される場合、不正防止用リブは、下方、右側方及び斜め右下方のうちの少なくとも何れかの方向に開放されていてもよいが、他の方向には閉鎖されていることが望ましい。
【００５２】
尚、請求項１の発明の外側装着部材や請求項２の発明の外側装着部材が、請求項３の発明と同様な「不正防止用リブ」を備えてもよい。これらの場合、不正行為の遂行が更に一層、困難なものとなる。
【００５３】
各請求項の発明において、「ガラス扉枠の開放動作」とは、「本体枠に対して閉鎖状態（全閉状態）にあるガラス扉枠」が、開放方向に動作すること指し、その動作量を特に問わない。例えば、「ガラス扉枠を全開状態とするための動作」のみならず、「ガラス扉枠を半開状態とするための動作」、「ガラス扉枠を僅かに開放させる動作」、及び、「ガラス扉枠をこじ開ける動作」等も含まれる。また、この「ガラス扉枠を開放させるための動作（特に、「僅かに開放させるための動作」）には、（ａ）係合機構の係合を維持したままの状態（特に、施錠装置の施錠を維持したままの状態）で、係合機構の「遊び」の範囲内で、ガラス扉枠を、不正補助具でこじ開ける動作や、（ｂ）施錠装置に変形を与えつつ（例えば、フック状の係合部に塑性変形を与えつつ）、ガラス扉枠を、不正補助具でこじ開ける動作等も含まれる。
【００５４】
各請求項の「検知手段」としては、例えば、（１）「ガラス扉枠の一端部の開放動作量」が僅かに増加したところで、「ガラス扉枠の開放動作」を検知可能な検知手段（検知スイッチ）、（２）「ガラス扉枠の一端部の開放動作量」が所定量（例えば、５ｍｍ〜１０ｍｍ）に到達したところで、「ガラス扉枠の開放動作」を検知可能な検知手段等を例示できる。
【００５５】
各請求項の遊技機は、検知手段が検知信号を出力した場合に、所定の報知（報知音の出力、報知光の発光、報知映像の画像表示等）を行う報知手段を備えてもよい。また、各請求項の遊技機は、検知手段が検知信号を出力した場合、この検知信号を遊技機外部（例えば、ホールコンピューター）に送信するための送信手段を備えてもよい。
【００５６】
更に、各請求項の遊技機が、「検知手段によって出力された検知信号が、正当な開放操作に基づくものであるか否かを判断するための判断手段」と、「判断手段によって、当該検知信号が、不正な開放操作に基づくものであると判断される場合、所定の警告（警告音の出力、警告光の発光、警告画像の表示等）を行う警告手段」と、を備えてもよい。また、この判断手段によって、当該検知信号が、不正な開放操作に基づくものであると判断される場合、パチンコホール内の防犯カメラによって、不正行為者等を撮影することとしてもよい。
【００５７】
各請求項の発明の「外側装着部材」としては、前述の「証紙付き証紙台」を例示できる。この「証紙台」は、「証紙」を保持（貼付等）しつつ、遊技盤に装着される部材である。この「証紙」には、遊技機に関する情報（製造メーカ、製造番号等）が表示される。但し、各請求項の発明においては、「証紙（情報表示部）」の全体が、ガラス扉枠の前方から視認可能とされてもよいし、その一部（例えば、主要部）のみが、ガラス扉枠の前方から視認可能とされてもよい。
【００５８】
請求項２の発明の「外側支持部材」としては、その他の情報（遊技機のスペックを示す情報）等が表示された「外側装着部材」を例示できる。また、各請求項の発明の「外側装着部材」や請求項２の発明の「外側支持部材」は、遊技上の情報（入賞の発生、大当りの発生、確率変動への移行等）を表示するためのものであってもよい。例えば、遊技盤の前面部に装着される本体部と、この本体部に装着されると共に遊技上の情報を表示するために駆動（例えば、点灯、点滅等）する「ランプ装置」と、を備える「外側装着部材」や「外側支持部材」を例示することもできる。
【００５９】
請求項１及び請求項２の各発明においては、「第１の被掛止部」と「第１の取付用突起」の具体例として以下の態様を例示できる。例えば、不正対策部位の左右方向に沿った一端部側に被取付孔（貫通孔）を設け、不正対策部位の内側面において、被取付孔の周縁に位置する部位によって第１の被掛止部を構成する。また、基体部の上面部から突出しつつ、被取付孔に挿通される挿通部（第１の突出片）と、この挿通部の突端部若しくは中間部から左右何れかの方向に突出する掛止部と、を備える第１の取付用突起（略Ｌ字状若しくは略フック形状の第１の取付用突起）を例示できる。
【００６０】
この第１の取付用突起においては、例えば、掛止部が、遊技領域の半径外側方向に向かって第１の被掛止部に掛止される。この具体例では、不正対策部位の外側面の外側（遊技領域外）の掛止部は、被取付孔を通じて、不正対策部位の内側面の内側（遊技領域内）に挿入される。そして、「掛止部」を不正対策部位の周方向にスライドさせ、「掛止部」を「第１の被掛止部」の内側（遊技領域の半径方向に沿った内側）に移動し、「掛止部」を「第１の被掛止部」に当接状に（遊技領域の半径外側方向に当接させて状態で）掛止すると、「第１の取付用突起」の「第１の被掛止部」に対する取り付けを完了する。
【００６１】
請求項１及び請求項２の各発明においては、「第２の取付用突起（但し、請求項２の発明では、取付用突起）」の具体例として以下の態様を例示できる。例えば、基体部の下面部から突出する略平板状の第２の取付用突起（請求項２の発明では、取付用突起）を例示できる。また、各請求項の発明の第２の被掛止部（但し、請求項２の発明では、被掛止部）は、「有底の穴状の第２の被掛止部（請求項２の発明では、被掛止部）」、「支持部を貫通する孔状の第２の被掛止部（請求項２の発明では、被掛止部）」、「溝状の第２の被掛止部（請求項２の発明では、被掛止部）」のうちの何れであってもよい。
【００６２】
各請求項の発明の「レール部材」としては、外側レールと内側レールとを備えるものを例示できる。このうち、「外側レール」は、通常、「遊技盤の前面部において、開口部を下方若しくは側方に向けた略円弧形状（Ｃの字状）に配置された（略円弧状の経路を描く状態に配置された）帯状の金属板」を用いて構成される。また、「内側レール」は、「遊技盤の前面部のうちで、外側レールの内側の部位において、開口部を上方に向けた略円弧形状（Ｃの字状）に配置された（略円弧状の経路を描く状態に配置された）帯状の金属板」を用いて構成される。そして、遊技盤の前面部においては、遊技盤の右斜め下方から打ち出され、左上がり傾斜状の発射レールに沿って上昇した遊技球は、遊技盤の左端側において外側レールと内側レールとの間の誘導通路を経て遊技盤の左上部に導かれる。そして、内側レールの略全体と、外側レールの上部側の部分とによって、略円形（略円形の経路を描く）を「領域レール部」が構成される。
【００６３】
この遊技盤の前面部のうちで、この領域レール部で取り囲まれた部位が、遊技領域とされる。この遊技領域内においては、最下部にアウト口が設けられ、この最下部よりも上方の位置に各種の入賞装置が配設されている。そして、遊技機において、遊技盤の斜め右下方には発射装置が配置され、遊技球は、この発射装置によって発射され、遊技盤の下方において、遊技盤の斜め右側から左側に上昇する経路を描く、発射レールに沿って上昇する。更に、この発射レールに沿って上昇した遊技球は、遊技盤の左端側において外側レールと内側レールとの間の誘導通路を経て遊技盤の左上部に導かれる。この遊技球は、内側レールの左上端部と、外側レールの左上端部との間に形成される入口部（遊技領域の入口部）を通じて、遊技領域内に放出される。
【００６４】
請求項１及び請求項２の各発明の「不正対策部位」を、この「領域レール部の下半側部分」から適宜、選択することができるが、「領域レール部の最下部を含む円弧状の部分」として構成することが望ましい。例えば、セブン機においては、その遊技領域に配置される入賞装置のうちで、「大量の賞球を期待できる大入賞装置」が最も、不正行為の対象となり易い。そして、この「大入賞装置」は、遊技領域において、「領域レール部の最下部」の上方（アウト口の上方）に配置されることが多い。このため、「領域レール部において、大入賞装置の直下に位置する部位（領域レール部の最下部）」を含む状態にて、「不正対策部位」を選択することが望ましいからである。
【００６５】
この「不正対策部位」のサイズ（経路長）は、「大入賞装置」の左右方向に沿った幅を考慮して選択することが望ましい。例えば、領域レール部のうちで、その最下部を中央に配置し、左右両側に高くなる円弧状の部分（円弧状の経路を描く部分）であって、中心角を２０度〜１８０度（特に、３５度〜１８０度）のうちの何れかの角度とする部分を用いて、「不正対策部位」を構成することが望ましい。
【００６６】
通常、ガラス扉枠は、ガラス板と、このガラス板を保持する扉枠本体とを備えている。そして、各請求項の発明の「延出部がガラス扉枠に当接する状態」としては、（１）延出部が、扉枠本体に到達する態様、（２）延出部がガラス板に到達する態様、（３）延出部が扉枠本体及びガラス板の双方に到達する態様、等を例示できる。また、各請求項の発明において、扉枠本体に、ガラス板を保持するための保持手段は、扉枠本体に対して固定的に装着されても（開閉不可能な状態に装着されても）、開閉可能な状態に装着されてもよい。
【００６７】
請求項１及び請求項２の各発明において、掛止片の突出方向は種々選択でき、基体部の上面部に沿った方向を例示できる。つまり、左右何れか一方の方向、左右双方向、前後何れか一方の方向、前後双方向、斜め前後のうちの何れか一方の方向、斜め前後の双方向等を例示できる。これらの場合、掛止片は略水平な方向に突出してもよいが、傾斜するような方向に突出してもよい。また、各請求項の発明において、第２の被掛止部（請求項２の発明では、被掛止部）の内壁部のうちで、第２の取付突起が実際の当接する箇所（実際に掛止される箇所）は、例えば、以下の箇所である。つまり、第２の被掛止部の内壁部を構成する面部分のうちで、左右何れかに位置する面部分を例示できる。特に、第２の被掛止部の内壁部が、相互に対向する面部分を左右に備える場合、これらの面部分のうちで、「不正対策部位の最下部」の側に位置する面部分を、第２の取付突起が実際の当接する箇所として選択することが好適である。また、請求項１及び請求項２の各発明において、延出部の延出箇所としては、例えば、基体部の前端部や、基体部の下面部等を例示できる。
【００６８】
請求項４の発明の遊技機は、請求項１〜３の何れか一項に記載の遊技機において、
前記検知手段は、
前記遊技盤の前面部と前記ガラス扉枠の後面部との間の距離が、所定の距離を超えた場合に、検知信号を出力する検知スイッチであることを特徴とする。
【００６９】
請求項４の発明は、請求項１〜請求項３の各発明の「検知手段」の具体例を示すものである。この請求項４の発明の「検知スイッチ」としては、例えば、「プランジャー式の検知スイッチ」を例示できる。つまり、前後に進退可能な状態に支持されたプランジャーと、このプランジャーを前方（ガラス扉枠の方向）に付勢する付勢手段と、を備える検知スイッチ」を例示できる。この「検知スイッチ」においては、ガラス扉枠が閉鎖状態（全閉状態）にある場合、プランジャーの前端部が、ガラス扉枠の後面部によって押圧される。このため、プランジャーは付勢手段の付勢力に対抗しつつ、後退する。一方、ガラス扉枠に開放動作が施され、外側装着部材と、ガラス扉枠の後面部との距離が拡大すると、それに応じて、プランジャーが前進する。そして、ガラス扉枠の開放動作量が所定量（僅かな量である場合も含む。）に到達し、プランジャーの前進量が特定量（僅かな量である場合も含む。）に到達すると、この検知スイッチは検知信号を出力する。
【００７０】
この「プランジャー式の検知スイッチ」を用いると、以下の効果を得ることができる。つまり、各請求項の発明においては、前述のように、検知手段が外側装着部材を介して遊技盤に装着され、ガラス扉枠に近い位置に配置される。このため、プランジャーのストローク（プランジャーの前後への進退量）を短くしても、ガラス扉枠の開放動作を確実に検知できる。換言すると、ストロークが短く、誤動作の少ない「検知スイッチ」とすることができる。従って、この「プランジャー式の検知スイッチ」を用いると、不正行為のより確実な発見が可能となる。尚、請求項１〜請求項３の各発明においては、この「プランジャー式の検知スイッチ」に代表される「接触式のスイッチ」の他に、「非接触式のスイッチ（光電スイッチ等）」を選択することもできる。
【００７１】
次に、請求項１及び請求項２の各発明の関連発明について説明する。
【００７２】
先ず、関連発明１の遊技機は、請求項１に記載の遊技機において、
前記第２の被掛止部は、前方に向かって開放されていることを特徴とする。
【００７３】
関連発明１では、第２の被掛止部が前方（遊技機の前方）に向かって開放されるため、第２の取付用突起を第２の被掛止部に挿入することがより一層、容易となる。このため、侵入防止部材の取付作業のより一層、円滑化を図ることができる。
【００７４】
また、関連発明２の遊技機は、請求項２の発明の遊技機において、
前記被掛止部は、前方に向かって開放されていることを特徴とする。
【００７５】
関連発明２では、被掛止部が前方（遊技機の前方）に向かって開放されるため、各取付用突起を各被掛止部に挿入することがより一層、容易となる。このため、侵入防止部材の取付作業のより一層、円滑化を図ることができる。
【００７６】
関連発明３の遊技機は、請求項１の発明、関連発明１、請求項２の発明、及び、関連発明２のうちの何れかの発明に係る遊技機において、
前記基体部の左右方向に沿った他端部側には、前記基体部の下面部から下り傾斜状に突出すると共に、自由端を前記基体部の下面部に近接させて撓んだ状態とすると、該自由端を前記基体部の下面部から離間させるような付勢力を生じさせる下部板バネ部が設けられ、
前記下部板バネ部を前記撓んだ状態としつつ、前記下部板バネ部の突端部側を前記支持部に当接する状態とし、
前記基体部の左右方向に沿った他端部側を、前記下部板バネ部の付勢力を用いて前記不正対策部位の外側面に圧接させたことを特徴とする。
【００７７】
関連発明３では、下部板バネ部の付勢力を利用して、基体部の左右方向に沿った他端部側を不正対策部位の外側面に密着させるため、侵入防止部材が不正対策部位の外側面に対してより確実に密着する。従って、関連発明３によると、「侵入防止部材の弛み」をより一層、確実に防止できる。
【００７８】
下部板バネ部は、基体部に一体的に設けられても、基体部と別体の板バネによって構成されてもよい。また、基体部に一体的に設ける態様では、基体部若しくはその一部を金属製の板状物で構成し、この板状物に略コの字状の「切り込み部」を設ける。そして、板状物において、「切り込み部」に囲まれた部位を、基体部の下方に折り返し、この折り返した部位によって、下部板バネ部を構成する態様を例示できる。尚、関連発明３の応用発明として、基体部の下面部と、支持部との間に、板バネ以外の付勢手段（コイルバネ、ゴム、樹脂発泡体等のクッション部材等）を配置した態様を例示することもできる。
【００７９】
関連発明４の遊技機は、請求項１の発明、関連発明１、請求項２の発明、関連発明２、及び、関連発明３のうちの何れかの発明に係る遊技機において、
前記基体部の左右方向に沿った他端部側には、前記基体部の上面部から上り傾斜状に突出すると共に、自由端を前記基体部の上面部に近接させて撓んだとすると、該自由端を前記基体部の上面部から離間させるような付勢力を生じさせる上部板バネ部が設けられ、
前記上部板バネ部を前記撓んだ状態としつつ、前記上部板バネ部の突端部側を前記不正対策部位に外側面に当接する状態とし、
前記基体部の左右方向に沿った他端部側を、前記上部板バネ部の付勢力を用いて前記支持部に圧接させたことを特徴とする。
【００８０】
関連発明４では、上部板バネ部の付勢力を利用して、基体部の左右方向に沿った他端部側を、不正対策部位の支持部に密着させる。従って、関連発明４によっても、「侵入防止部材の弛み」をより一層、確実に防止できる。
【００８１】
上部板バネ部は、基体部に一体的に設けられても、基体部と別体の板バネによって構成されてもよい。また、基体部に一体的に設ける態様では、基体部若しくはその一部を金属製の板状物で構成し、この板状物に略コの字状の「切り込み部」を設ける。そして、板状物において、「切り込み部」に囲まれた部位を、基体部の上方に折り返し、この折り返した部位によって、上部板バネ部を構成する態様を例示できる。尚、関連発明４の応用発明として、基体部の上面部と、支持部との間に、板バネ以外の付勢手段（コイルバネ、ゴム、樹脂発泡体等のクッション部材等）を配置した態様を例示することもできる。
【００８２】
関連発明５の遊技機は、請求項１の発明、関連発明１、請求項２の発明、関連発明２、関連発明３、及び、関連発明４のうちの何れかの発明に係る遊技機において、
前記基体部は、略帯状の板状物を用いて構成される芯部材と、該芯部材の構成素材よりも軟質な構成素材を用いて構成されると共に前記芯部材の上面部及び下面部のうちの少なくとも一方を被覆する表皮部材と、を備え、
前記延出部は、前記表皮部材と同一の構成素材を用いて、前記表皮部材と一体的に設けられることを特徴とする。
【００８３】
関連発明５では、基体部の構造を、芯部材と軟質な表皮部材とを備える２重構造とすると共に、延出部を表皮部材と一体的に構成する。つまり、関連発明５の発明では、侵入防止部材を、剛性の確保に重点をおく部分（芯部材）と、柔軟性の確保に重点をおく部分（表皮部材及び延出部からなる部分）との２重構造とするため、侵入防止部材の取り扱いの容易化を図りつつ、侵入防止部材の本来の機能（不正部材の侵入防止機能）をより確実に発揮できる。蓋し、関連発明５によると、延出部等を軟質な素材を用いて構成するため、延出部のガラス扉枠に対する密着性が高められる。しかも、芯部材によって、侵入防止部材の剛性を確保できるめ、延出部等を軟質な素材を用いて構成しても、侵入防止部材の取り扱いが容易であるからである。
【００８４】
ここで、芯部材の構成素材としては、金属や硬質樹脂等を例示できる。また、表皮部材及び延出部の構成素材としては、ゴムや軟質樹脂等を例示できる。更に、表皮部材としては、例えば、（ａ）芯部材を挿入する挿入空間を備え、芯部材の上下面部を被覆する略筒形状の表皮部材、（ｂ）芯部材の上面部若しくは下面部の一方を被覆する表皮部材、等を例示できる。尚、何れの態様においても、芯部材の上面部を、弾性素材で構成される表皮部材で被覆すると、基体部の不正対策部位に対する密着度が高められるため、より好適である。
【００８５】
尚、不正対策部位（内側レール）の構成素材が金属である場合、芯部材の構成素材を金属とすることで、以下のような効果も得られる。つまり、不正対策部位（内側レール）の熱膨張率と、芯部材の構成素材の熱膨張率とを等しくしたり、近似したものとできるため、不正対策部位（内側レール）及び侵入防止部材に熱膨張等を生じても、侵入防止部材の不正対策部位（内側レール）に対する密着度が低下することを防止できる。
【００８６】
関連発明６の遊技機は、請求項１の発明、関連発明１、請求項２の発明、関連発明２、関連発明３、関連発明４、及び、関連発明５のうちの何れかの発明に係る遊技機において、
前記侵入防止部材において、少なくとも、前記延出部に対して、透視度低下処理を施したことを特徴とする。
【００８７】
関連発明６によると、不正行為をより一層確実に防止したり、不正行為の実行をより一層的確に抑止できる。つまり、不正行為者の多くは、遊技機において遊技盤の下方の位置に挿入した不正部材を、遊技盤の前方に移行させる際に、ガラス扉枠の前方から遊技機の内部を覗き込みつつ、不正部材の位置（特に、不正部材の先端部の位置）を確認する。これに対して、関連発明６によると、主壁体部の透視度を低下させる処理を施して、不正部材の位置（特に、不正部材の先端部の位置）を確認困難、若しくは、確認不可能とするため、不正行為の実行が不可能、若しくは、困難となる。従って、関連発明６によると、不正行為をより一層確実に防止したり、不正行為の実行をより一層的確に抑止できる。
【００８８】
ここで、関連発明６の発明の「透視度低下処理」とは、延出部若しくは侵入防止部材全体等（以下、「延出部等」という。）の透視度を低下させるための処理、つまり、延出部等を上下方向に透視できる度合いを低下させる処理である。具体的には、（１）延出部等に色彩を施す処理、（２）延出部等に模様を施す処理、（３）延出部等に図形、その他の線図を施す処理、（４）延出部等（特に、その上面部）に、乱反射の発生手段（傷、スリット、凹凸等）を設ける処理、若しくは、（１）〜（４）の処理のうちの２つ以上を組み合わせた処理、等を例示できる。尚、侵入防止部材（関連発明５では、表皮部材及び延出部）を樹脂の一体成形品で作成する場合、（１）の色彩を施する処理は、この一体成形品の成形時に行っても（例えば、材料中に顔料を混入する。）よいし、一体成形品の成形後の事後的な着色によって行ってもよい。更に、延出部の上面部等に、遊技領域に配設された「セル画」と、同一の色彩、模様、線図等を施して、この「透視度低下処理」を行うこともできる。
【００８９】
この関連発明６と同様に、各請求項の発明の「外側装着部材」や、請求項２の発明の「外側支持部材」においても、「透視度低下処理」を施すことが好ましい。例えば、証紙台を「不透明」とすることで、不正行為の遂行が、更により一層、困難となるからである。
【００９０】
尚、各請求項の発明、各関連発明、各応用発明においては、基体部の後端部の全域、若しくは、一部が、遊技盤の前面部と当接してもよいし、遊技盤の前面部と離間してもよい。また、基体部の後端部のうちでアウト口の直下に位置する部位を除く部位」を遊技盤の前面部に当接させ、「基体部の後端部のうちで領域レール部の最下部の下方に位置する部分（以下、「最下部下方部分」という。）」を、「アウト口の直下の位置」、若しくは、「アウト口の直下よりも遊技機の奥側の位置」に到達させることが望ましい。
【００９１】
蓋し、「領域レール部の最下部」は、遊技盤面に設けられたアウト口に遊技球（アウト球）を案内するための案内部を構成するが、この領域レール部の最下部（案内部）の後端部は、通常、切り欠き部とされている。しかも、遊技盤（遊技領域）において、この切り欠き部の真上の位置に、大入賞装置が配置されるのが一般的なため、不正行為者は、「この切り欠き部の下方から、切り欠き部を通過して大入賞装置に至る経路」を、「不正部材の侵入経路」として選択する可能性が高い。このため、「最下部下方部分」を、「アウト口の直下の位置」、若しくは、「アウト口の直下よりも遊技機の奥側の位置」に到達させることによって、この経路を遮断することが望ましいからである。
【００９２】
各請求項の発明において、「延出部をガラス扉枠に当接させること」には、延出部の前端部をガラス扉枠の背面部（後面部であって、遊技盤との対向面部である。）に当接させることの他に、延出部の前端部をガラス扉枠の背面部よりも、前方に到達させること（例えば、ガラス扉枠の背面部に対して、後方に開口する凹部を設け、延出部の前端部を、この凹部を進入させること等）も含まれる。また、「延出部の前端部をガラス扉枠に到達させること」には、延出部の前端部の全域（左右方向に沿った全幅の範囲）を、ガラス扉枠に到達させることの他に、延出部の前端部の一部（左右方向に沿った一部の範囲）をガラス扉枠に到達させることも含まれる。
【００９３】
次に、請求項３の発明の関連発明を説明する。
【００９４】
つまり、関連発明７の遊技機は、請求項３に記載の遊技機において、
前記レール部材は、前記領域レール部の下半側部分から選択される所定の部位を不正対策部位とすると共に、
上面部を前記不正対策部位の外側面に沿わせつつ略円弧状に配置される基体部と、該基体部から延出して前記ガラス扉枠に当接する状態に配置される延出部と、を具備し、一端部側が前記不正対策部位の左右方向に沿った一端部側に取り付けられる侵入防止部材を備え、
前記外側装着部材が、前記不正対策部位の左右方向に沿った他端部側と対向する位置に被取付部を具備し、前記侵入防止部材の他端部側が該被取付部に取り付けられることを特徴とする。
【００９５】
関連発明７では、不正対策部位に侵入防止部材を装着するため、請求項１及び請求項２の各発明と同様に、「不正行為の遂行がより困難な遊技機」が得られる。但し、関連発明７において、侵入防止部材の不正対策部位に対する取付方法と、侵入防止部材の外側装着部材に対する取付方法は、掛止（請求項１及び請求項２に示す取付方法）に限定されない。例えば、接着、面ファスナーを用いた係合、ネジ止め等の他の取付方法を用いて、侵入防止部材を不正対策部位に取り付けてもよい。
【００９６】
但し、請求項３の発明の遊技機においては、侵入防止部材を用いるか否かを特に問わないし、侵入防止部材を用いる場合には、その構成態様を特に問わない。例えば、不正対策部位の下方に配置される帯状の侵入防止部材等を例示できる。また、不正対策部位に装着される侵入防止部材を用いる場合においても、侵入防止部材の両端を不正対策部位に取り付けてもよいし、侵入防止部材の全体を不正対策部位に取り付けてもよい。
【発明の効果】
【００９７】
以上記述したように、各請求項の発明によると、「外側装着部材」の機能を維持しつつも、不正行為の早期発見と不正行為の抑制が可能で、しかも、不正行為の遂行がより困難な遊技機が得られる。
【発明を実施するための最良の形態】
【００９８】
以下、発明を実施するための最良の形態を示す実施例について図面に基づいて説明する。以下に示す各実施例では、各請求項に係る発明を、「セブン機」と称する遊技機（パチンコ機）１に適用した具体例について説明する。
【００９９】
（１）機械的な構造
ａ．遊技機の前面側の全体構造
先ず、この遊技機１の全体構造について、図１〜図１２を参照して説明する。この遊技機１は、図１〜図３に示すように、外枠２と、この外枠２に装着された遊技機本体Ｈと、を備えている。
【０１００】
外枠２は、図１及び図４に示すように、略矩形状の枠状体によって構成される外枠本体２１と、外枠本体２１の前面下部を覆う前板部２２と、を備えている。このうち、外枠本体２１は、上下に一対の水平板２１ａと、左右に一対の立設板２１ｂと、を備えている。そして、両水平板２１ａは、上下に所定の間隔をおいて立設配置されると共に、左右方向に長尺とされている。また、両立設板２１ｂは、左右に所定の間隔をおいて立設配置されると共に、上下方向に長尺とされている。 
【０１０１】
遊技機本体Ｈは、図１にすように、外枠２の左端側上下のヒンジＨ１、Ｈ２を用いて、外枠２の左端側に回動自在に組み付けてられている。この遊技機本体Ｈは、遊技機１のうちで外枠２を除く部分であって、本体枠３と、ガラス扉枠（前面枠）４と、受皿扉体（所謂、上皿部材）５と、下皿部材６と、遊技盤１０（図９を参照）と、裏パック１０２（図１３を参照）等を主要部としている。
【０１０２】
本体枠３は、全体がプラスチック製であり、図３に示すように、外枠２の内側に嵌めこまれ、外枠２に対して開閉可能に軸支されている。つまり、本体枠３の左端側の上下が、外枠２に対して軸支され、外枠２に対して開閉可能とされている。また、図３及び図５に示すように、本体枠３のうちで上方側及び中間側の部位には、その前後を貫通する状態に窓部３Ｍが設けられている。そして、本体枠３の後面部のうちで、この窓部３Ｍを取り囲む部位からは、遊技盤１０が挿入される保持用突出部３３ｇが突出している。この保持用突出部３３ｇは、本体枠３の後方に突出しつつ、略矩形型の枠形状に構成され、遊技盤１０に厚みに相当する奥行き（前後幅）を有している。
【０１０３】
この保持用突出部３３ｇは、その後方から、遊技盤１０（図１１参照）を受け入れて保持する。この保持用突出部３３ｇに保持される遊技盤１０（図９参照）は、その前面部１０ａが前方に向けられる。そして、この前面部１０ａの主要の部位（遊技領域１１を形成する部位を含む主要な部位）が、窓部３Ｍを通じて、本体枠３の前方から視認可能とされている。
【０１０４】
本体枠３の右端側の後面部であって、保持用突出部３３ｇの右側方に位置する部位に、施錠装置７が装着されている（図３を参照）。この施錠装置７は、上下に長尺状とされており（図４を参照）、その前面部を、本体枠３の後面部に当接させた状態で本体枠３に装着されている。この施錠装置７の前面部では、上端部側と中間部とにおいて、係合部（ガラス扉枠施錠用の係合部）７Ｋ、７Ｋを前方に突出させている（図４を参照）。
【０１０５】
図５に示すように、本体枠３の前面部３ａのうちで下方側の部位には、遊技球を遊技盤１０に発射する発射装置（図示を省略）と、遊技球を発射ユニットに供給するための球送り装置（図示を省略）と、発射装置から発射された遊技球を外レール１２（後述する。）に向かって誘導する発射レール５５等が配設されている。尚、発射レール５５は、本体枠３の下方側の前面部において、左方向に向かって上がり傾斜状に設けられている。更に、そして、遊技盤１０の背面部には、裏パック１０２（図３及び図１３参照）が装着され、この背面部を覆う状態とされている。尚、遊技盤１０等の詳細に関しては後述する。
【０１０６】
図５に示すように、本体枠３の右端部において、上方側の部位と、中間側の部位には、各々、貫通孔３ｂ、３ｃが設けられている。これらの貫通孔３ｂ、３ｃは、本体枠３の前面部及び後面部を貫通する状態に設けられ、各貫通孔３ｂ、３ｃには、係合部７Ｋが挿通されている。このため、係合部７Ｋは、本体枠３の前面部において、その右端部の上方側の部位と、中間側の部位とか、前方に突出する状態とされている。
【０１０７】
ガラス扉枠（前面枠）４は、図４に示すように、本体枠３の前面部側において開閉動作可能な状態に配置されている。つまり、図１及び図２に示すように、本体枠３の左端部の上下が、ヒンジｈ１、ｈ２を介して、本体枠３の左端部に支持されている。このガラス扉枠４は、その後面部を本体枠３の前面部に近接させて、本体枠３に対して閉鎖された状態となる。このとき、「ガラス扉枠４の後面部において周縁寄りに位置する部位４Ｒ（図３参照）」が、「本体枠３の前面部において周縁寄りに位置する部位３Ｒ（図３参照）」に略接触した状態｛例えば、隙間部を１ｍｍ以下（ゼロｍｍを含む。）にした状態｝とされ、ガラス扉枠４と本体枠３との間に存在する隙間部の幅（遊技機の前後方向に沿った幅）が小さく（つまり、前述の１ｍｍ以下）なる。このため、ガラス扉枠４が本体枠３に閉鎖状態にあるときに、ガラス扉枠４及び本体枠３間の隙間部に、不正部材を挿入することは困難である。そして、このガラス扉枠４は、ヒンジｈ１、ｈ２を軸心として、その後面部を本体枠３の前面部と離間させるように回転することで、開放動作を行う。尚、このヒンジｈ１、ｈ２によって、請求項１の発明の「ヒンジ機構」の具体例が構成される。
【０１０８】
ガラス扉枠４は、図３及び図６に示すように、扉枠本体４１と、ガラス板４３と、ガラス板４３を扉枠本体４１に保持させる（取り付ける）ための保持部材（図示を省略）と、を備えている。尚、保持部材を扉枠本体４１に対して一体的に設けることもできる。
【０１０９】
扉枠本体４１は、レンズ状のプラスチックを主体に構成され、円形状の開口部４１ａを有している。この開口部４１ａは、扉枠本体４１の前面部及び後面部を貫通する状態に設けられている。そして、ガラス扉枠４を閉じた状態としたときに、ガラス扉枠４の奥側（背後）に配置される遊技盤１０の盤面（遊技領域１１）を、前方（遊技者の側）から視認可能とするためのものである。つまり、この開口部４１ａは、遊技盤１０に形成された遊技領域１１（図９参照）の形状に対応して、略円周状に開設されている。また、ガラス板４３は、開口部４１ａにおいて、その後端側に位置する部位に、はめこまれている。このため、ガラス扉枠４の前方から、開口部４１ａを覗き込むと、ガラス板４３を透かして、ガラス扉枠４の後方を視認可能とされている。
【０１１０】
扉枠本体４１の後面部において、図４及び図６に示すように、開口部４１ａの右側方に位置する部位（以下、「右側方部位」という。）からは、２つの係合突起４５、４５が突出している。これらの係合突起４５、４５は、右側方部位の上端部側と、下端部側とから、扉枠本体４１の後方に突出する状態に配設されている。また、両係合突起４５、４５は、略Ｌ字状の板状体を用いて構成され、突端部を、扉枠本体４１の右側方に向けている。
【０１１１】
この係合突起４５、４５と、前述の係合部７Ｋとによって、「係合機構」の具体例を構成する。つまり、前述の施錠装置７は、ガラス扉枠施錠部材７Ｂ（図７を参照）と、ガラス扉枠施錠部材７Ｂを上方に付勢するためのバネ部材と（図示を省略）と、を備えている。このうち、ガラス扉枠施錠部材７Ｂは、上下に長尺な略帯板状に構成されると共に、前端面から略フック形状に構成された係合部７Ｋを突設させている。また、係合部７Ｋは、係合本体部７５６ａと、導入部７５６ｂとを、前方から後方に、この順で備えている。このうち、より後方に位置する導入部７５６ｂでは、その上端面が後端部に向かうに従って下り傾斜となる「下り傾斜面」としている。また、導入部７５６ｂよりも前方に位置する係合本体部７５６ａは、導入部７５６ｂに比べて凹んだ、係合用凹部７５６ｃを用いて構成されている。
【０１１２】
「本体枠３に対して開放状態」にあるガラス扉枠４を、「本体枠３に対して閉鎖状態」にすると、図７（ａ）に示すように、係合部７Ｋが係合突起４５、４５に係合し、ガラス扉枠４は本体枠３に施錠される。つまり、ガラス扉枠４を開放状態から閉鎖状態に変化させる途中に、図７（ｂ）に示すように、上方の「係合突起４５」は、上方の「係合部７Ｋ」の導入部７５６ｂの上端面に摺動し、下方の「係合突起４５」は、下方の「係合部７Ｋ」の導入部７５６ｂの上端面を摺動する。
【０１１３】
このとき、導入部７５６ｂの上端面は、各「係合部７Ｋ」の後端部に向かうに従って下り傾斜となる「下り傾斜面」とれているため、各「係合突起４５」が対応する係合本体部７５６ａに近づくことで、係合部７Ｋ（ガラス扉枠施錠部材７Ｂ）は下方に押圧される。つまり、ガラス扉枠施錠部材７Ｂは、バネ部材の付勢力に対抗しつつ、下方に移動（スライド）するが、各「係合突起４５」が対応する係合本体部７５６ａに近づくに従って、係合部７Ｋ（ガラス扉枠施錠部材７Ｂ）の下方への移動量が多くなる。そして、各「係合突起４５」が対応する係合本体部７５６ａに係合本体部７５６ａに到達したところで、各「係合部７Ｋ」は、バネ部材の付勢力によって上昇し｛図７（ｂ）の矢印Ｕを参照｝、係合部７Ｋが係合突起４５に係合し、ガラス扉枠４が本体枠３に対して施錠された状態となる｛図７（ａ）を参照｝。
【０１１４】
尚、ガラス扉枠４を解錠する場合、所定の鍵を用いて施錠装置７を操作し、ガラス扉枠施錠部材７５０を、バネ部材の付勢力に対抗しつつ、下方に移動させると、係合部７Ｋの係合突起４５に対する係合を解除される。この状態で、ガラス扉枠４を手前に引くと、ガラス扉枠４を本体枠３に対して全開状態とすることができる。
【０１１５】
図２に示すように、ガラス扉枠４において、開口部４１ａの周縁の部位には、各種のＬＥＤ基板４ｂ、４ｃ、４ｄ、４ｅ、４ｆ、４ｇ、４ｈが内蔵されている。また、何れのＬＥＤ基板４ｂ〜４ｈも、プリント配線基板と、プリント配線基板に搭載された複数のＬＥＤランプと、を備えている。そして、これらのＬＥＤ基板４ｂ〜４ｈを構成するＬＥＤランプは、目的（遊技効果を高める目的、賞球を報知する目的、当該遊技機１にエラーを生じたことを報知する目的）に応じて、点灯及び消灯したり、点滅する。
【０１１６】
図１及び図２に示すように、ガラス扉枠４の上端部側の左右には、各々、スピーカーＳＰ１、ＳＰ２（図１５参照）が内蔵されている。また、本遊技機１においては、前板部２２の左右両端にも、スピーカーＳＰ３、ＳＰ４（図１５参照）が内蔵されている。このため、本遊技機１においては、前面部の４隅にスピーカーＳＰ１〜ＳＰ４を配置することで、「４ウェイのスピーカーシステム」を構成している。そして、本遊技機１においては、これらのスピーカーＳＰ１〜ＳＰ４を用いて、遊技状態に応じた効果音その他の音（音声）を発生させる。
【０１１７】
図２に示すように、このガラス扉枠４の右下方側であって、開口部４１ａの外周縁の外側に位置する部位（つまり、ガラス扉枠の右下の角部寄りの箇所）には、右下窓部４１Ｒが設けられ、ガラス扉枠４の左下方側であって、開口部４１ａの外周縁の外側に位置する部位（つまり、ガラス扉枠の左下の角部寄りの箇所）には、左下窓部４１Ｌが設けられている。また、右下窓部４１Ｒ及び左下窓部４１Ｌは、図８（ａ）に示すように、開口形状が略楕円形状とされつつ、ガラス扉枠４の前後を貫通する開口部（窓部）によって構成されている。また、図８に示すように、ガラス扉枠４の後面部において、右下窓部４１Ｒと、左下窓部４１Ｌの後方に位置する部位には、透明板（ガラス板）４１Ｇが装着されている。このため、ガラス扉枠４の前方から、右下窓部４１Ｒ及び左下窓部４１Ｌを観察すると、この透明板（ガラス板）４１Ｇを透かして、ガラス扉枠４の後方を視認可能である。
【０１１８】
また、図８に示すように、ガラス扉枠４の右下方側において開口部４ａの外周縁の外側に位置すると共に（ガラス扉枠の右下の角部寄りの箇所であって）、右下窓部４１Ｒよりも左側に位置する部位には、押圧用突起４１Ｍが設けられている。この押圧用突起４１Ｍは、ガラス扉枠４の後方に突出する状態に設けられている。
【０１１９】
図９に示すように、遊技盤１０の前面部１０ａにおいて、右下窓部４１Ｒの後方に位置する部位（後述する周辺領域ＹＧの一部分である。）には、証紙台５００が装着されている。そして、ガラス扉枠４を閉じた状態としたときに、この証紙台５００に貼付された証紙５００Ｓは、右下窓部４１Ｒを通じて、ガラス扉枠４の前方から視認可能（前述の透明板４１Ｇを透かして視認可能）とされている（図２を参照）。また、この証紙台５００の前面部において、前述の押圧用突起４１Ｍと前後に位置合わせされる部位（つまり、図２７に示すように、ガラス扉枠４を本体枠３に対して閉鎖状態としたときに、前後に位置合わせされる部位）には、「ガラス扉枠スイッチ４ｓ」が配設されている。この「ガラス扉枠スイッチ４ｓ」は、請求項１の発明の「検知手段」の具体例を構成する。この「ガラス扉枠スイッチ４ｓ」は、ガラス扉枠（前面枠）４の開閉状態（開放動作）を検知するための検知手段である。この「ガラス扉枠スイッチ４ｓ」の詳細に関しては後述する。
【０１２０】
また、図９に示すように、遊技盤１０の前面部１０ａにおいて、左下窓部４１Ｌの後方に位置する部位（後述する周辺領域ＹＧの一部分である。）には、「当該遊技機１のスペック（大当りを生ずる確率、大当り中に実行されるラウンド数等）を表示するためのラベル５５０Ｋ」が貼付されている。そして、ガラス扉枠４を閉じた状態としたときに、このラベル５５０Ｋは、左下窓部４１Ｌを通じて、ガラス扉枠４の前方から視認可能（透明板４１Ｇを透かして視認可能）とされている（図２を参照）。
【０１２１】
本実施例では、「証紙５００Ｓが取り付けられた（貼付された）証紙台５００」、つまり、「証紙５００Ｓ付きの証紙台５００」によって、請求項１の発明の「外側装着部材」の具体例を構成し、証紙５００Ｓによって、請求項１の発明の「情報表示部」の具体例を構成している。尚、本実施例では、「遊技領域１１を、ガラス扉枠４の前方から視認可能とするための開口部４ａ」と、「証紙５００Ｓをガラス扉枠４の前方から視認可能とするための右下窓部４１Ｒ」と、「ラベル５５０Ｋをガラス扉枠４の前方から視認可能とするための左下窓部４１Ｌ」と、を別個に設けるが、開口部４ａと右下窓部４１Ｒと左下窓部４１Ｌとを一体化したり、開口部４ａと、右下窓部４１Ｒ及び左下窓部４１Ｌのうちの一方とを一体化してもよい。
【０１２２】
具体的には、大型の開口部（例えば、縦横の幅が、開口部４ａの直径を超える略矩形状の開口部）を形成し、この大型の開口部を通じて、遊技領域１１と、証紙５００Ｓと、ラベル５５０Ｋとを、ガラス扉枠４の前方から視認可能としてもよい。また、ラベル５５０Ｋを、遊技盤１０の前面部１０ａに直接、取り付けるのではなく、台部材（証紙台５００のような台部材）を介して、遊技盤１０の前面部１０ａに取り付けてもよい。この場合、台部材の前面部にラベル５５０Ｋを取り付ける（貼付する）。そして、このラベル５５０Ｋ付きの台部材を、「外側支持部材」として、請求項２の発明を適用してもよい（ラベル５５０Ｋの周囲から選択される所定の部位に不正防止用リブＦＲを設けてもよい。）。 
【０１２３】
本実施例においては、図２７に示すように、ガラス扉枠４を閉じたときに、ガラス扉枠４の裏面部４７と、遊技盤１０の前面部１０ａとの間に、空間部（以下、「盤前空間部」という。）Ｋが形成される。また、ガラス扉枠４を閉じたときに、ガラス扉枠４の裏面部４７と、後述する「領域レール部ｒ」との間には、隙間部（以下、「レール前隙間部」という。）Ｓが形成される。
【０１２４】
図１及び図２に示すように、遊技機本体Ｈの前面部のうちで、ガラス扉枠４の下方の部位に、受皿扉体（上皿部材）５と下皿部材６とを備える。つまり、受皿扉体５は、ガラス扉枠４の下方に配置され、下皿部材６は受皿扉体５の下方に配置されている。
【０１２５】
この上皿扉体５は、図１２に示すように、本体枠３の前面部３ａのうちで、前面枠３の下方の部位に、開放動作可能な状態に装着されている。この上皿扉体５は、略矩形の板形状に構成される板状部５Ａと、板状部５Ａの前面部から前方に突出する状態に配置される上皿本体５Ｂと、を備えている。
【０１２６】
また、この板状部５Ａの左端部が、ヒンジ５ｈを用いて本体枠３に支持されている。更に、板状部５Ａの左端部寄りには、上皿導入口５ｂが前後に貫通する状態に設けられている。この上皿導入口５ｂは、遊技機１内から排出される遊技球を、上皿本体５Ｂの内部に導くためのものである。
【０１２７】
上皿本体５Ｂは、上方に開口する皿形状を備えており、主要部を構成する上皿貯留部５Ｄと、その他の部位を構成する上皿棚部５Ｅとを備える。このうち、上皿貯留部５Ｄは、上皿扉体５に排出される（払い出される）遊技球を貯留するための部位であり、上皿本体５Ｂの左側に偏った位置に設けられている。また、この上皿貯留部５Ｄは、上皿本体５Ｂの上方に開口する凹部によって構成され、前述の上皿導入口５ｂの前端部（遊技球の通過方向に沿った終端部）は、この上皿貯留部５Ｄの内部に向かって開放（開口）されている。
【０１２８】
上皿貯留部５Ｄの底面部５ｐは右方向に向かって下り傾斜となる傾斜面とされている。また、上皿棚部５Ｅの上面部には、操作スイッチＳＷと、「球貸操作部５ｃ」と、が配置されている。尚、上皿扉体５の裏側には、球貸表示基板４１０（図１４参照）及び演出ボタン基板２２８（図１４参照）が設けられている。また、上皿扉体５の外郭部分も、レンズ状のプラスチックを主体され、上皿扉体５の内部にも、ＬＥＤ基板４ｉが内蔵されている（図２を参照）。
【０１２９】
図１及び図２に示すように、下皿部材６の略中央には、遊技機１の内部から遊技球を排出するための排出口６ａが設けられている。また、下皿部材６の左端には灰皿６ｂが設けられ、下皿部材６の右端には発射ハンドル９が設けられている。また、下皿部材６の底面には球抜き孔（図示を省略）が設けられている。この球抜き孔は、通常時には、閉鎖されているが、下皿部材６に貯留された遊技球を遊技機１から排出する際に開放状態とされる。
【０１３０】
発射ハンドル９は、発射装置ユニット（図示を省略）に接続されている。この発射ハンドル９には、遊技者がハンドルに触れていることを検出するタッチスイッチ９ａが装着されており、その近傍には、遊技球の発射を一時的に停止するための発射停止スイッチ９ｂが装着されている。また、前述の施錠装置７は、正面視すると鍵穴を備えた略長方形状を呈し、ガラス扉枠４を閉鎖した場合に施錠するためのものである。更に、遊技機１の左端側には、プリペイドカードユニットが設けられている（図示を省略）。
【０１３１】
ｂ．遊技盤１０の構成
次に、遊技盤１０の構成について、図９を中心に説明する。この遊技盤１０は、図３に示すように、本体枠３に保持されるとともに、後述する各種制御基板（主制御基板２００、発射制御基板２６０等）２００Ｋと、裏パック１０２（図１３参照）により、その背面側が覆われている。また、遊技盤１０は、正面視で略矩形状の合板を用いて構成される遊技盤本体１０Ａと、この遊技盤本体１０Ａに装着される各種の盤部品（外側レール１２、内側レール１３、メイン役物装置２０等）とを備えている。尚、この遊技盤本体１０Ａの前面部には、セル画が印刷されたシート状物１０Ｓが貼着されている（図２７〜図３０を参照）。
【０１３２】
遊技盤本体１０Ａは、正面視で略円形とされる領域形成部１０Ｂと、領域形成部１０Ｂの周囲に位置する領域外部１０Ｃと、遊技盤本体１０Ａの左端側において、略円弧状に設けられる誘導領域部１０Ｄと、を備える。また、遊技盤本体１０Ａの前面部（つまり、遊技盤１０の前面部１０ａ）には、レール部材Ｒが配置されている。更に、レール部材Ｒは、外側レール１２と内側レール１３とを備えている。
【０１３３】
このうち、外側レール１２は、遊技盤１０の前面部１０ａにおいて、「開口部を下方に向けた略円弧形状に配置された帯状の金属板」を用いて構成される。また、内側レール１３は、遊技盤１０の前面部１０ａのうちで、外側レール１２の内側の部位において、「開口部を上方に向けた略円弧形状に配置された帯状の金属板」を用いて構成される。そして、内側レール１３の略全体と、外側レール１２の上部側の部分とによって、略円形のレール部（以下、「領域レール部」という。）ｒが構成される。
【０１３４】
この遊技盤１０の前面部１０ａにおいて、領域レール部ｒで包囲される略円形の部位（領域形成部１０Ｂ）によって遊技領域１１が構成される。つまり、領域レール部ｒは、遊技盤１０の前面部１０ａに構成される遊技領域１１の外縁部Ｇを構成している。また、遊技盤１０の前面部１０ａの左端側において外側レール１２と内側レール１３との間に形成される円弧状の部位（誘導領域部１０Ｄ）によって、誘導通路Ｙが構成される。更に、遊技盤１０の前面部１０ａにおいて、「遊技領域１１及び誘導通路Ｙ」を除いた部位（領域外部１０Ｃ）によって、周辺領域ＹＧが構成される。
【０１３５】
本遊技機１においては、図９に示すように、遊技盤１０の右斜め下方の発射装置によって打ち出され、左上がり傾斜状の発射レール５５に沿って上昇した遊技球Ｖは誘導通路Ｙを経て遊技盤１０の左上部の「領域入口部Ｙ１（図１０を参照）」に導かれた後、「領域レール部ｒ」によって包囲された遊技領域１１に放出される構造となっている。そして、前述のように、周辺領域ＹＧに、「証紙５００Ｓ付きの証紙台５００」が装着されている。尚、本実施例においては、証紙５００Ｓを、便宜上、「ハッチング表示」を用いて図示している。尚、証紙台５００の詳細については後述する。
【０１３６】
領域形成部１０Ｂには、メイン役物装置２０と、普通図柄作動ゲート（普通図柄作動口）１６と、始動入賞装置１７と、下部装置３０と、左下表示装置５０と、右下表示装置６０と、４個の一般入賞装置４０、４１、４３、４４と、多数の障害釘（図示を省略）と、風車１９等が配設されている。
【０１３７】
メイン役物装置２０は、取付部材（化粧板）２１と、中央表示装置２７とを備えている。このうち、取付部材２１は、領域形成部１０Ｂの前面部に装着される板状体によって構成され、遊技領域１１の上半部のうちで、左端側を除く部位を構成している。この取付部材（化粧板）２１には、窓部形成孔２１ｄが設けられている。そして、この窓部形成孔２１ｄは、正面視で略矩形状の表示窓２１ｅを構成している。
【０１３８】
取付部材２１の頂部から右側縁部の下端に至る部位は、外側レール１２に近接し、頂部から左側縁部の上端に至る部位には、上部装飾部材２１ｎが前方に突出する状態に装着されている。また、取付部材２１の左側縁部には、左側装飾部材２１ｑが前方に突出する状態に装着され、取付部材２１の下縁部には、ステージ部材２１ｐが前方に突出する状態に装着されている。
【０１３９】
左側装飾部材２１ｑは、内部に遊技球通路（図示を省略）が形成された造形物２１ｒを備えている。この遊技球通路の進入口は、左斜め上方に向かって開口し、遊技領域１１を流下する遊技球を、この進入口で受け入れ、メイン役物装置２０の内部に進入させる。
【０１４０】
ステージ部材２１ｐは、その上面部によって、遊技球の転動面を構成する。この転動面は、左右の端部から中央部に向かって下する傾斜面として構成されている。但し、転動面の中央部では、上方に向かって僅かに隆起する隆起部とされている。また、ステージ部材２１ｐには、転動面上の遊技球を、メイン役物装置２０の外部に排出するための排出通路が設けられている。尚、排出通路の入口部２１ｕは、転動面の中央部の背後において、この中央部と連続する位置で開口し、排出通路の出口部２１ｖは、この中央部よりも下方の位置で開口している。
【０１４１】
本実施例では、遊技領域１１を流下し、メイン役物装置２０の内部に進入した遊技球は、転動面の左端部に到達し、転動面上を右方向に転動し、更に、左方向に転動する。そして、遊技球の勢いを衰えたところで、この遊技球は、排出通路を通過してメイン役物装置２０外に排出されるか、或いは、転動面の前縁部から、メイン役物装置２０外に排出される。尚、出口部２１ｖの直下に、後述する始動入賞装置１７が位置している。
【０１４２】
中央表示装置２７は画像表示装置の具体例を構成するものである。また、この中央表示装置２７は液晶表示装置を用いて構成されると共に、遊技盤本体１０Ａに対して、その後方から装着されている。更に、この中央表示装置２７の表示画面２７ａは前方に向けられると共に、表示窓２１ｅに内側に挿入されている。このため、この表示画面２７ａは、遊技盤本体１０Ａの前面部よりも後方に位置しつつ、表示窓２１ｅを通じて前方から視認可能とされている。
【０１４３】
この中央表示装置２７は、後述する右下表示装置６０と同様に、判定結果図柄を確定表示するためのものである。但し、この中央表示装置２７においては、右下表示装置６０よりも、演出度の高い演出を実行しつつ、判定結果図柄を確定表示を行う。尚、本実施例では、右下表示装置６０が、本図柄を表示するための「本図柄表示用の図柄表示装置」を構成し、中央表示装置２７が、演出用の疑似図柄（演出図柄ということもある。）を表示するための「疑似図柄表示用の図柄表示装置」を構成する。また、中央表示装置２７の表示画面２７ａは可変状態に用いられ、その全体、若しくは、一部を用いて種々の図柄を表示可能である。
【０１４４】
普通図柄作動ゲート（普通図柄作動口）１６は、遊技領域１１において、メイン役物装置２０の左側方に位置する部位に配設されている。また、この普通図柄作動ゲート（普通図柄作動口）１６内には普通図柄作動ゲート通過検出スイッチ１６ｓ（図１４参照）が配設されている。そして、普通図柄作動ゲート通過検出スイッチ１６ｓを遊技球が通過することを前提に、「普通図柄の変動開始条件」が成立すると、左下表示装置５０（後述する。）において、普通図柄の変動表示（具体的は、普通図柄用のランプ装置の点滅表示）を開始する。そして、普通図柄の変動開始後、所定の変動時間を経過すると、普通図柄の確定表示（点灯、若しくは、消滅）がなされる。そして、普通図柄の当り表示（点灯表示）がなされると、普通電動役物１７（後述する。）が、所定時間（例えば、０．５秒）開放駆動される。
【０１４５】
始動入賞装置１７は、ステージ部２１ｄの排出路の直下に位置する部位に配設されている。そして、第１の始動入賞部１７ａと、第２の始動入賞部１７ｂとを上下に配設した構成を備える。このうち、第１の始動入賞部１７ａは、上方に開口部、つまり、第１の始動口を開口させたポケット形状を備えている。この第１の始動口は、排出通路の出口部２１ｖの直下に位置するため、排出通路を通過した遊技球は、この第１の始動口を通じて、始動入賞装置１７に入賞する確率が高くされている。
【０１４６】
第２の始動入賞部１７ｂは、第１の始動入賞部１７ａの直下に位置すると共に、入口側部分に、普通電動役物が配置されている。この普通電動役物は、いわゆるチューリップ式で左右に一対の翼片部が開閉するべく形成されている。つまり、第２の始動入賞部１７ｂは、この一対の翼片部を作動させるための普通電動役物ソレノイド１７ｃ（図１４参照）を備えている。そして、この一対の翼片部が左右に開くと、遊技球の入球可能性が大きくなる開放状態となり、一対の翼片部が立設され、遊技球の入球可能性が小さくなる通常状態となる。
【０１４７】
始動入賞装置１７の内部には、第１の始動入賞部１７ａ、若しくは、第２の始動入賞部１７ｂを遊技球の通過を検出する始動入賞検出スイッチ１７ｓ（図１４参照）が配設されている。つまり、第１の始動入賞部１７ａに入賞した遊技球と、第２の始動入賞部１７ｂに入賞した遊技球は、始動入賞装置１７内の同一の通路（図示を省略）を通過し、この通路の経路途中に配設された始動入賞検出スイッチ１７ｓによって検出される構成となっている。
【０１４８】
下部装置３０は、始動入賞装置１７の下方に配設されている。この下部装置３０は、可変入賞装置（大入賞装置）３１によって構成されている。この可変入賞装置３１は、遊技盤１０の前面部１０ａに装着された取付板部３１ｋを備える。この取付板部３１ｋは、略中央部において平面形状が略帯状の開口部を表裏を貫通する状態に備え、この開口部によって大入賞口３１ａを構成している。そして、この大入賞口３１ａの後端部は、「大入賞口入賞通路（大入賞口３１ａから入賞する遊技球を通過させるための通路であり、図示を省略する。）」に連絡されている。
【０１４９】
そして、可変入賞装置（大入賞装置）３１は、この大入賞口３１ａを開放・閉鎖するための開閉板３１ｂと、この開閉板３１ｂを駆動するための大入賞口ソレノイ３１ｃ（図１４参照）と、大入賞口入賞通路の経路途中若しくは経路端末部に設けられた入賞球検出スイッチ３１ｓ（図１４参照）と、を備えている。この可変入賞装置（大入賞装置）３１は、開閉板３１ｂが起立姿勢となると、この開閉板３１ｂが大入賞口３１ａを閉鎖するため、可変入賞装置（大入賞装置）３１への遊技球の入賞が不可能となる。一方、開閉板３１ｂが、その下端部を支点に前方に傾動して前傾姿勢となると、大入賞口３１ａを開放されると共に、開閉板３１ｂの後面部（背面部）が遊技領域１１を流下し、可変入賞装置（大入賞装置）３１へ到達した遊技球を、大入賞口３１ａに誘導する誘導部を構成する。
【０１５０】
左下表示装置５０は、可変入賞装置（大入賞装置）３１の左側方に配置されている。この左下表示装置５０は、図１１（ａ）に示すように、略円弧状に構成されると共に、遊技盤１０の前面部に取り付けられる取付板５１を備えている。そして、この取付板５１には、普通図柄保留表示部５２と、特別図柄保留表示部５３と、遊技状態表示部５５と、普通図柄表示部５６とが設けられている。
【０１５１】
普通図柄保留表示部５２は、２個のＬＥＤを用いて構成され、所謂「普通図柄に関する保留数」を、４個を上限として表示する。また、特別図柄保留表示部５３も、２個のＬＥＤを用いて構成され、所謂「特別図柄に関する保留数」を、４個を上限として表示する。更に、遊技状態表示部５５は、２個のＬＥＤ５５ａ、５５ｂを用いて構成され、遊技機１の現在の遊技状態（遊技状態が通常遊技状態である旨、遊技状態が確変遊技状態である旨等）を表示するために用いられる。また、普通図柄表示部５６は、１個のＬＥＤ５６ａを用いて構成され、「普通図柄作動ゲート（普通図柄作動口）１６に伴う当否抽選の結果の表示」を、変動表示（本実施例では、ＬＥＤを用いて点滅表示）を経て実行する。
【０１５２】
右下表示装置６０は、可変入賞装置（大入賞装置）３１の右側方に配置されている。この右下表示装置６０は、図１１（ｂ）に示すように、略円弧状に構成されると共に、遊技盤１０の前面部に取り付けられる取付板６１を備えている。そして、この取付板６１には、特別図柄表示部６２と、大当り態様表示部６３と、が設けられている。
【０１５３】
特別図柄表示部６２は、略長円状に配設された「７個のＬＥＤ６２ａ〜６２ｇ」を用いて構成され、「始動入賞装置１７への遊技球の入賞（以下、「始動入賞」という。）に伴う当否判定の結果の表示」を、変動表示（本実施例では、複数のＬＥＤを用いて点灯表示）を経て実行する。つまり、この「当否判定に関する結果の表示に、先行する変動表示」の実行時期が到来すると、「７個のＬＥＤ６２ａ〜６２ｇ」を順次、点灯させる。具体的には、略長円状に配設された「７個のＬＥＤ６２ａ〜６２ｇ」において、この「略長円状を周回する方向に沿って、７個のＬＥＤ６２ａ〜６２ｇ」が点灯するされることを内容とする
【０１５４】
より具体的には、所定のＬＥＤ（例えば、ＬＥＤ６２ａ）が点灯状態となると、残りのＬＥＤ（例えば、ＬＥＤ６２ｂ〜６２ｇ）は消灯状態となる。このＬＥＤ（例えば、ＬＥＤ６２ａ）が消灯状態となると、略長円状を周回する方向に隣合う１つのＬＥＤ（例えば、ＬＥＤ６２ｂ）のみが点灯状態となる。そして、点灯状態となるＬＥＤを、略長円状を周回する方向に沿って順次変更することで、特別図柄表示部６２の変動表示が実行される。この変動表示（以下、「ＬＥＤ６２ｂ〜６２ｇを用いた循環表示」という。）を実行し、「特別図柄に関する当否判定に関する結果の表示」の実行時期が到来すると、特別図柄表示部６２において、特別図柄の確定表示が実行される。尚、特別図柄表示部６２における特別図柄の表示態様に関しては後述する。
【０１５５】
大当り態様表示部６３は、２個のＬＥＤ６３ａ、６３ｂを用いて構成される。この大当り態様表示部６３は、主に、「特別図柄に関する当否判定に関する結果が大当りである場合、その大当りの種類」を表示するために用いられる。つまり、特別図柄表示部６２において大当り表示がなされていない場合には、２個のＬＥＤ６３ａ、６３ｂは消灯状態とさせる。そして、特別図柄表示部６２において大当り表示がなされる場合、何れかのＬＥＤ６３ａ、６３ｂを点灯させて、当該大当りの種類が表示される。
【０１５６】
図１１（ａ）に示すように、２個の一般入賞装置４０、４１は、左下表示装置５０を構成する取付板５１に一体化され、図１１（ｂ）に示すように、残りの２個の一般入賞装置４３、４４は、右下表示装置６０を構成する取付板６１に一体化されている。そして、各一般入賞装置４０、４１、４３、４４の内部には、遊技球の入賞を検出するための入賞検出スイッチ４０ｓ、４１ｓ、４３ｓ、４４ｓ（図１４参照）が配設されている。
【０１５７】
尚、多数の障害釘（図示を省略）は、以上説明した各盤部品との位置バランスを考慮して、遊技領域１１にパチンコ遊技に適するべく、配設されている。尚、遊技盤１０の下方にはアウト口１８が設けられている。更に、アウト口１８の下部にはバック球防止部材（図示を省略）が設けられている。そして、遊技領域１１に到達せず戻ってきた遊技球が再び発射位置に戻ることを防止している。一方、ファール球防止部材１５は、内レール１３の先端部に取り付けられている。
【０１５８】
本遊技機１では、前述のように、上皿扉体５に操作スイッチＳＷを配設している。本実施例の遊技機１では、この操作スイッチＳＷを操作しても、遊技上の演出に変化を与えることはできないが、各発明においては、この操作スイッチＳＷを、遊技上の演出に変化を与えるために用いることとしてもよい。例えば、中央表示装置２７の表示画面２７ａで行われる表示に変更を加えるために用いることとしてもよい。
【０１５９】
また、本実施例では、図１０に示すように、可変入賞装置（大入賞装置）３１のサイズを考慮し、不正対策部位Ｆを以下のように定めている。つまり、可変入賞装置３１は、「領域レール部ｒのうちでその最下部ｒ１を中央に配置し、左右両側に高くなると共に中心角（Ｄ）を２５度とする円弧状部分ｒ３」の上方に位置している。このため、この「円弧状部分ｒ３」よりも、更に広範な「円弧状部分ｒ５」によって不正対策部位Ｆを構成し、可変入賞装置３１への不正行為の防止を図っている。つまり、「領域レール部ｒのうちでその最下部ｒ１を中央に配置し、左右両側に高くなると共に中心角（Ｅ）を約１１０度とする円弧状部分ｒ５」によって不正対策部位Ｆを構成している。尚、図１０等においては、図示の便宜を図るため、不正対策部位Ｆを、「円弧状の帯形状」にハッチング表示を施して示している。
【０１６０】
本実施例では、図９及び図１０に示すように、この不正対策部位Ｆに対して、侵入防止手段３００が配置されている。この侵入防止手段３００は、証紙台５００と、侵入防止部材６００と、を用いて構成されている。この侵入防止手段３００の詳細に関しては後述する。尚、図３２に示すように、不正対策部位Ｆの左端側には、略矩形状の貫通孔ｑ（被取付孔）が設けられている。この貫通孔ｑは、不正対策部位Ｆをその肉厚方向に貫通する状態に設けられている。そして、不正対策部位Ｆの内側面Ｆ２において、貫通孔ｑの周縁に位置すると共に、アウト口１８側（右側）に位置する部位が、第１の被掛止部Ｑの具体例を構成している。
【０１６１】
ｅ．遊技機１の裏面構造
次に、本実施例の遊技機１の裏面構造について図１３を参照して説明する。つまり、遊技機１の裏面構造は、大きな裏パック１０２の上に各種装置が搭載された構造となっており、裏パック１０２は、一対のヒンジ１０３によって中枠３に開閉可能に軸支されている。
【０１６２】
裏パック１０２には、遊技球が蓄えられる賞球タンク１０５と、賞球の払出を行う賞球払出装置１０９と、主制御部２００Ａを構成する主制御基板２００が格納された主制御基板ケースと、発射装置ユニットを制御する発射制御基板２６０が格納された発射装置制御基板ケース１３０と、賞球払出装置１０９を制御する払出制御基板２４０が格納された払出制御基板ケース１１８と、主制御基板２００と各種スイッチ類とを中継する中継端子板などが搭載されている。
【０１６３】
賞球タンク１０５には底部にタンクスイッチが設けられており、球切れを検出することができる。また、賞球タンク１０５と賞球払出装置１０９とは、タンクレール１０６によって接続されている。更に、図１３において、タンクレール１０６の右側には球抜きレバーが設けられ、タンクレール１０６の下流側には補給球切れ検知スイッチが設けられている。また、賞球払出装置１０９の下流側には、遊技球の振り分け部が設けられている。尚、図１３は、図示が煩雑となることを避けるために、振り分け部の表示は省略されている。
【０１６４】
主制御基板ケース、中継端子板や、払出制御基板ケース１１８等の各種基板類は、裏パック１０２に回動自在に懸架された図示しない金属板に、着脱自在に装着されている。
【０１６５】
裏パック１０２の右上端部には、ヒューズボックス、電源スイッチ、電源ターミナル基板１３２及び大当り、発射装置制御、球切れ、扉開放、賞球、球貸し用等の遊技機枠用外部接続端子を備えた中継端子板が設けられている。尚、電源ターミナル基板１３２には、ラムクリア信号を発生させるためのラムクリアスイッチ１３２ａが接続されている。
【０１６６】
また、中継端子板の上側には、外部からの電力の供給を受けるための電源ケーブルも配設されている。更に、払出制御基板ケース１１８からは接続ケーブルが上方へ延出し、電源ケーブルを備えた球貸装置に接続されている。また、裏パック１０２の略中央下端部には、下皿部材用球通路部材が設けられている。
【０１６７】
（２）制御回路の構成
次に、図１４〜図１６を用いて本実施例の遊技機１の制御回路の構成について説明する。本遊技機１の制御回路は、主制御部２００Ａと、複数の副制御部（２２０Ａ、２４０Ａ、２６０Ａ）とを含んで構成されている。つまり、主制御基板２００を用いて構成されると共に遊技の基本的な進行や賞球に関わる当否についての制御を司る主制御部２００Ａと、複数の副制御部（２２０Ａ、２４０Ａ、２６０Ａ）とを備えている。
【０１６８】
副制御部としては、（ａ）演出制御基板２２０を用いて構成されると共に、「図柄表示、ランプの発光、効果音、可動物の動作等を用いた遊技の各種の演出の制御を司る演出制御部２２０Ａと、（ｂ）払出制御基板２４０を用いて構成されると共に貸球や賞球を払い出す動作の制御を司る払出制御部２４０Ａと、（ｃ）発射制御基板２６０を用いて構成されると共に遊技球の発射に関する制御を司る発射制御部２６０Ａを備える。尚、副制御部には、主制御部１４０に直に接続された第１次副制御部（２２０Ａ、２４０Ａ）と、この第１次副制御部を介して主制御部２００Ａに接続された第２次副制御部（２６０Ａ）とが存在する。
【０１６９】
これらの制御部（２００Ａ、２２０Ａ、２４０Ａ、２６０Ａ）を構成する制御基板（２００、２２０、２４０、２６０）は、各種論理演算および算出演算を実行するＣＰＵや、ＣＰＵで実行される各種プログラムやデータが記憶されているＲＯＭ、プログラムの実行に際してＣＰＵが一時的なデータを記憶するＲＡＭ、周辺機器とのデータのやり取りを行うための周辺機器インターフェース（ＰＩＯ）、ＣＰＵが演算を行うためのクロックを出力する発振器、ＣＰＵの暴走を監視するウォッチドッグタイマ、定期的に割り込み信号を発生させるＣＴＣ（カウンター・タイマ・サーキット）など、種々の周辺ＬＳＩがバスで相互に接続されて構成されている。尚、図１４〜図１６中の矢印の向きは、データあるいは信号を入出力する方向を表している。また、図１４においては、主制御基板２００に搭載されたＣＰＵ２０１、ＲＡＭ２０２、ＲＯＭ２０３のみ図示されており、主制御基板２００に搭載されているＰＩＯ、更には、他の制御基板に搭載されているＣＰＵや、ＲＡＭ、ＲＯＭなどについては図示を省略している。
【０１７０】
主制御部２００Ａ（主制御基板２００）は、普通図柄作動ゲート通過検出スイッチ１６ｓ、始動入賞検出スイッチ１７ｓ、入賞球検出スイッチ４０ｓ、４１ｓ、４３ｓ、４４ｓ等から遊技球の検出信号を受け取って、遊技の基本的な進行や賞球に関わる当否を決定した後、演出制御部２００Ａ（演出制御基板２２０）や、払出制御部２４０Ａ（払出制御基板２４０）、発射制御部２６０Ａ（発射制御基板２６０）等に向かって、後述する各種のコマンドを出力する。また、主制御部２００Ａ（主制御基板２００）には、発射装置ユニットから発射された遊技球を検出するカウントスイッチ８ｓも接続されている。また、主制御部２００Ａ（主制御基板２００）は、普通電動役物ソレノイド１７ｃや、大入賞口ソレノイ板３１ｃ、左下表示装置５０、右下表示装置６０に信号を出力することにより、これらの動作を直接制御している。
【０１７１】
演出制御部２２０Ａ（演出制御基板２２０）は、主制御部２００Ａ（主制御基板２００）からの各種コマンドを受け取ると、コマンドの内容を解析して、その結果に応じた遊技の演出を行う。即ち、中央表示装置（液晶表示装置）２７を駆動する演出表示制御基板２２２やスピーカーＳＰ１〜ＳＰ４を駆動するアンプ基板２２４が接続されている。
【０１７２】
演出制御部２２０Ａ（演出制御基板２２０）は、「各種ＬＥＤ４ｂ〜４ｈ搭載された基板」等の各種装飾用基板を駆動する装飾駆動基板２２６に駆動信号を出力することにより、遊技の演出を行う。尚、操作スイッチＳＷからの操作信号は、演出ボタン基板２２８を介して、演出制御部２２０Ａ（演出制御基板２２０）に入力される。尚、演出制御部２２０Ａ（演出制御基板２２０）の詳細な入出力関係については後述する。
【０１７３】
払出制御部２４０Ａ（払出制御基板２４０）は、所謂、貸球や賞球の払い出しに関する各種の制御を司っている。例えば、遊技者が受皿扉体５に設けられた球貸スイッチ５ｅや返却スイッチ５ｆを操作すると、この信号は、球貸表示基板２４２から中継端子板を介して、球貸装置に伝達される。この球貸装置は、払出制御部２４０Ａ（払出制御基板２４０）とデータをやり取りしながら、貸球の払出を行う。
【０１７４】
主制御部２００Ａ（主制御基板２００）が賞球の払出コマンドを出力すると、このコマンドを払出制御部２４０Ａ（払出制御基板２４０）が受け取って、払出モータ１０９ｍに駆動信号を出力することによって賞球の払い出しが行われる。また、払い出された賞球は、２つの払出スイッチ（前側払出スイッチ１０９ａ、後ろ側払出スイッチ１０９ｂ）によって検出されて、払出制御部２４０Ａ（払出制御基板２４０）に入力される。更に、払い出された賞球数はカウントスイッチ１０９ｃによっても検出されて、主制御部２００Ａ（主制御基板２００）でも計数されている。
【０１７５】
賞球タンク１０５に設けられたタンクスイッチ１０４からの信号や、賞球タンク１０５に供給する遊技球が蓄えられる図示しない外部タンクに設けられた外部タンクスイッチ１２４からの信号も、払出制御部２４０Ａ（払出制御基板２４０）に入力されている。このため、払出制御部２４０Ａ（払出制御基板２４０）は、球切れのため賞球の払い出しができなくなる前に、前述したエラーＬＥＤ４ｇ，４ｈによって異常を報知することが可能となっている。
【０１７６】
下皿部６に設けられた下皿満タンスイッチ６ｓからの信号も払出制御部２４０Ａ（払出制御基板２４０）に入力されている。このため、下皿部６が遊技球で一杯となった場合にも、下皿満タンスイッチ６ｓで検出された信号を受けて、払出制御部２４０Ａ（払出制御基板２４０）が賞球の払い出しを一時的に停止することが可能となっている。
【０１７７】
加えて、「ガラス扉枠スイッチ４ｓ」から出力される検知信号（ガラス扉枠４が開放動作を行ったことを示す検知信号）も、払出制御部２４０Ａ（払出制御基板２４０）に入力されている。このため、何らかの理由でガラス扉枠４が明けられた場合には、賞球の払い出し、或いは、遊技球の球貸し等の動作を中止することが可能となっている。尚、「ガラス扉枠４が明けられる理由」としては、「正当な行為者（パチンコホールの店員等）が、ガラス扉枠４に開放動作を施したという理由」の他に、「不正行為者がガラス扉枠４をこじ開けたという理由」や、、「不正行為者が不正に入手した鍵等を利用して、ガラス扉枠４に開放動作を施したという理由」等を例示できる。
【０１７８】
また、払出制御部２４０Ａ（払出制御基板２４０は、主制御部２００Ａ（主制御基板２００からの制御の下で、遊技球の発射を許可する信号（発射許可信号）を発射制御部２６０Ａ（発射制御基板２６０）に向かって出力している。そして、発射制御部２６０Ａ（発射制御基板２６０）は、この発射許可信号を受けて、後述するように、遊技球を発射するための各種制御を行っている。
【０１７９】
主制御部２００Ａ（主制御基板２００）には、遊技機に関する情報（信号）を、遊技機１の外部に出力するための外部端子部（外部出力用端子基板）２００Ｇが接続されている。この外部端子部２００Ｇから出力される情報（信号）としては、大当り情報（大当り信号）、確率変動情報（確率変動信号）、賞球情報（賞球信号）等の遊技状態を示す情報（信号）を例示できる。そして、これらの情報（信号）は、ホールコンピュタＨＰＣに送信され、「不正行為の監視」や「パチンコホールにおける営業上の集計」等のために利用される。
【０１８０】
尚、前述の「ガラス扉枠スイッチ４ｓ」は、中継端子板２８０を介して払出制御部２４０Ａ（払出制御基板２４０）に接続されている。しかも、払出制御部２４０Ａ（払出制御基板２４０）と主制御部２００Ａ（主制御基板２００）とが双方向通信可能な状態に接続されている。このため、「ガラス扉枠スイッチ４ｓ」から出力される検知信号（ガラス扉枠４に開放動作が施されたことを示す検知信号）は、中継端子板２８０と、払出制御部２４０Ａ（払出制御基板２４０）とを介して、主制御部２００Ａ（主制御基板２００）に送信される。そして、外部端子部（外部出力用端子基板）２００Ｇを経てホールコンピュタＨＰＣに送信される。よって、パチンコホール側は、「当該遊技機１（当該検知信号の発信源の遊技機１）のガラス扉枠４に開放動作が施されたこと」を認識することができる。つまり、パチンコホール側は、当該パチンコホールに設置された多数の遊技機１の中から、「ガラス扉枠４に対して開放動作が施されている遊技機１」を特定することができる。
【０１８１】
次に、演出制御部２２０Ａ（演出制御基板２２０）に対する信号或いはコマンドの入出力関係について説明する。前述のように、演出制御部２２０Ａ（演出制御基板２２０）には、演出表示制御基板２２２と、アンプ基板２２４、装飾駆動基板２２６、演出ボタン基板２２８などの各種基板が接続されている。
【０１８２】
演出制御部２２０Ａ（演出制御基板２２０）は、前述のように、主制御部２００Ａ（主制御基板２００）から各種の演出用のコマンドを受け取ると、コマンドの内容を解釈して、（ａ）中央表示装置（液晶表示装置）２７での具体的な表示内容や、（ｂ）スピーカＳＰで出力する効果音、更には、（ｃ）各種ＬＥＤやランプ類４ｂ〜４ｆの点灯若しくは点滅の具体的な態様を決定する。次いで、中央表示装置２７の駆動信号（各種の図柄制御コマンド）を演出表示制御部２２２Ａ（演出表示制御基板２２２）に出力して、演出用図柄の変動停止表示を行う。このとき、表示されるキャラクタ図柄や背景図柄などの一部データについては、中央表示装置（液晶表示装置）２７、或いは、演出表示制御基板２２２に内蔵された演出表示ＲＯＭ２７ｒに格納されているデータを使用する。
【０１８３】
また、疑似図柄の変動停止表示に合わせて、音声信号をアンプ基板２２４に出力することによって、スピーカＳＰ１〜ＳＰ４から効果音を出力する。加えて、装飾駆動基板２２６に信号を供給し、装飾駆動基板２２６から、各種ＬＥＤ４ｂ〜４ｈの駆動信号を出力することによって、各種ＬＥＤ４ｂ〜４ｈやランプ類の点灯・点滅動作等を制御する。更に、受皿扉体５の前面側に設けられた操作スイッチＳＷを遊技者が操作すると、この操作信号が演出制御部２２０Ａ（演出制御基板２２０）に供給される。そして、演出制御部２２０Ａ（演出制御基板２２０）は、供給された操作信号に基づいて、中央表示装置（液晶表示装置）２７を初めとする各種の演出内容に操作結果を反映させることが可能に構成されている。
【０１８４】
（２）侵入防止手段の説明
【０１８５】
侵入防止手段３００は、図１７に示すように、「証紙５００Ｓ付きの証紙台５００」と、侵入防止部材６００と、「証紙５００Ｓ付きの証紙台５００」に装着された「ガラス扉枠スイッチ４ｓ」と、を用いて構成されている。
【０１８６】
「証紙５００Ｓ付きの証紙台５００（証紙付き証紙台）」は、前述のように、請求項１の発明の「外側装着部材」の具体例を示すものであり、図１７に示すように、遊技盤１０の前面部１０ａにおいて、不正対策部位Ｆの外側面Ｆ１の外側に位置する部位（以下、「外領域Ｍ」という。）に着脱可能な状態に装着されている。この外領域Ｍは、遊技盤１０の中心線（上下方向に沿った中心線であって、アウト口１８を通過する。）を基準にとして、右外領域部ＭＲ（遊技者から見て右側の領域部）と、左外領域部ＭＬ（遊技者から見て左側の領域部）とに区画される。そして、証紙台５００は、右外領域部ＭＲに装着されている。尚、この「外領域Ｍ」は、前述の周辺領域ＹＧと、その大部分重複する（但し、誘導通路Ｙは外領域Ｍとなる。）。
【０１８７】
尚、本実施例においては、左外領域部ＭＬ及び右外領域部ＭＲのうちの右外領域部ＭＲのみに、証紙台５００を装着可能な空き部分が存在するため、右外領域部ＭＲに、「証紙５００Ｓ付きの証紙台５００」が装着されている。但し、本実施例と異なり、左外領域部ＭＬに外側装着部材を装着したり、左外領域部ＭＬ及び右外領域部ＭＲに外側装着部材を装着してもよい。
【０１８８】
証紙台５００は、不透明な樹脂（黒色の樹脂）を用いて構成されると共に、図１８に示すように、前壁部５０２と、前壁部５０２の周縁部から後方に突出する周壁部５０３とを備えている。そして、この証紙台５００は、「前壁板５０２を内底面とすると共に周壁部５０３を周壁としつつ、後方に開口する略容器形状」を備えている。また、図２２に示すように、この証紙台５００の後端面５０５は略台形の枠形状とされている。また、図１９及び図２２に示すように、後端面５０５の右端の上方側と左端の上方側とに、取付代５０６、５０９を一体的に備えている。これらの取付代５０６、５０９は板形状とされると共に、後面を後端面５０５と面一にしている（図２２を参照）。また、取付代５０６、５０９は、表裏を貫通する状態にビス挿通孔５０６ａ、５０９ａを備える。尚、図１９に示すように、証紙台５００の右端の上方側と、左端の上方側には、切り欠き部５０８ａ、５０８ｂが設けられている。そして、各取付代５０６、５０９は、各切り欠き部５０８ａ、５０８ｂを通じて、証紙台５００の前方に露呈している。
【０１８９】
前壁部５０２は、図１８〜図２２に示すように、左右の端縁（側端縁）を上下方向に向け、下部の端縁（下端縁）を略水平方向に向け、上部の端縁（上端縁）を略円弧状とする板状体によって構成されている。また、前壁部５０２の上部の端縁（上端縁）の曲率は、内側レール１３の曲率と略等しくされている（図１７を参照）。尚、「証紙５００Ｓ付きの証紙台５００」を装着すると（証紙台５００を遊技盤１０に装着した後、証紙５００Ｓを取り付けてもよい。）、前壁部５０２の上端縁は、「内側レール１３の下半側であって、右側に位置する部位」と略平行な円弧を描くことになる（図１７を参照）。
【０１９０】
図１８に示すように、前壁部５０２の上縁部からは、円弧状の支持リブ５０７Ｒが突出している。この支持リブ５０７Ｒの上面部５０７Ｕは、後述する上壁板部５０３ｃの上面部５０７と一体となっている（図２３を参照）。
【０１９１】
また、図１８に示すように、前壁部５０２の前面部５０２ａには、「証紙５００Ｓを貼付するための部位（以下、「被貼付部５０２ｈ」という。）」が確保されている。そして、この被貼付部５０２ｈには証紙５００Ｓが貼付されている。尚、この証紙５００Ｓには、遊技機に関する情報（製造メーカ、製造番号等）が表示されている。また、本実施例では、被貼付部５０２ｈの平面形状を略矩形状としている。
【０１９２】
図１８、図２０及び図２１に示すように、前壁部５０２の前面部５０２ａにおいて、被貼付部５０２ｈの周囲からは、第１のリブ５０２Ｒと、第２のリブ５０２Ｓとが突出している。尚、第１のリブ５０２Ｒ及び第２のリブ５０２Ｓは、支持リブ５０７Ｒの一部（上下方向に沿った中間の円弧状の部分であって、以下、「中間円弧部５０７Ｖ」という。）と共に、請求項３の発明の「不正防止用リブＦＲ」の具体例を構成する。
【０１９３】
第１のリブ５０２Ｒの前面部５０２ａからの突出量と、第２のリブ５０２Ｓの前面部５０２ａからの突出量は、前述の支持リブ５０７Ｒの前面部５０２ａからの突出量と略等しくされている。また、第１のリブ５０２Ｒは、被貼付部５０２ｈの上縁部に沿って左右方向に形成され、第２のリブ５０２Ｓは、被貼付部５０２ｈの左縁部に沿って上下方向に形成されている。
【０１９４】
具体的には、第１のリブ５０２Ｒは、中間円弧部５０７Ｖの上端部と、前面部５０２ａの右側縁部との間に略水平に形成されている。また、第２のリブ５０２Ｓは、中間円弧部５０７Ｖの下端部から略鉛直下方に形成されるが、その下端部を、前面部５０２ａの下縁部に到達させないものとしている。つまり、第２のリブ５０２Ｓの下端部と、「被貼付部５０２ｈの上下方向中間部（具体的には、被貼付部５０２ｈの半分の高さの部分）」とが、水平方向に位置合わせされている。但し、第２のリブ５０２Ｓと、前面部５０２ａの下縁部との間には、後述する支持体４ｔが配置されている。
【０１９５】
つまり、本実施例では、図１８に示すように、中間円弧部５０７Ｖと、第１のリブ５０２Ｒと、第２のリブ５０２Ｓと、「略Ｌ字の形状」の「不正防止用リブＦＲ」を構成する。そして、「不正防止用リブＦＲ」と、後述する支持体４ｔとを用いて、右側方、右斜め下方及び下方のみに開放された「侵入防止壁ＦＢ」を構成している。この「侵入防止壁ＦＢ」は、前壁部５０２の前面部５０２ａの前方に、「袋小路（大入賞装置３１の方向には行き止まりとなる袋小路）」のような状態に形成されている。
【０１９６】
周壁部５０３は、図１９及び図２２に示すように、右壁板部５０３ａと、左壁板部５０３ｂと、上壁板部５０３ｃと、底壁板部５０３ｄとを、略台形の枠型に配置した構成を備える。このうち、上壁板部５０３ｃは、前壁板５０２の上端縁に沿った略円弧形状に構成されている。つまり、この上壁板部５０３ｃの上面部５０７は略帯状に構成されつつ、内側レール１３の略等しい曲率を備えている。このため、図１７に示すように、証紙台５００を遊技盤１０に装着すると、上壁板部５０３ｃの上面部５０７と、「内側レール１３の下半側であって、右側に位置する部位」の外側面とが略平行となる。
【０１９７】
上壁板部５０３ｃの上面部５０７は、「支持部」の具体例を構成するものであり、図１８、図１９及び図２２に示すように、左方向に下る傾斜部（傾斜面）を構成している。この上壁板部５０３ｃの右端側には、図１８、図１９、図２２及び図２３に示すように、斜め上方に開口する溝部５０７ａが設けられている。この溝部５０７ａは、請求項１の発明の「第２の被掛止部」の具体例を構成するものであり、上壁板部５０３をその前後方向に縦断する状態に設けられている。そして、溝部５０７ａは、証紙台５００の前面部及び後面部においても開口している。この溝部５０７ａの上面部５０７で開口する開口部は、長手方向を証紙台５００の奥行き方向に向け、短手方向を証紙台５００の幅方向に向けている。
【０１９８】
上壁板部５０３ｃの上面部５０７の左端側からは、図１８、図１９、図２２及び図２３に示すように、支持突部５０７ｂが突出している。また、図１８に示すように、上壁板部５０３ｃの前端縁において、右端側に位置する部位からは、脱落防止壁５０７ｃが略円弧状に立ち上げられている。尚、脱落防止壁５０７ｃには、溝部５０７ａ（第２の被掛止部）の前端部を、前方に開放するための切り欠き部５０７ｇが設けられている。
【０１９９】
ガラス扉枠スイッチ４ｓは、請求項４の発明の「検知手段」の具体例を構成するものであり、図２４に示すように、前壁部５０２の前面部５０２ａのうちで、「左下の角部寄りの箇所」に装着されている。また、このガラス扉枠スイッチ４ｓは、「ＯＮ・ＯＦＦ信号」を出力可能な「リミットスイッチ」を用いて構成されている。つまり、図１８及び図２４に示すように、このガラス扉枠スイッチ４ｓは、支持体４ｔと、プランジャ４ｐと、プランジャ４ｐを前方に付勢するための付勢手段（図示を省略）と、を備えている。
【０２００】
支持体４ｔは、図１８に示すように、蓋付きの略円筒形状に構成され、開口部を後方に向け、蓋部４１ｔを前方に向けた状態で、前壁部５０２の前面部５０２ａに取り付けられている。また、プランジャ４ｐは、「蓋部４１ｔを貫通する状態に形成された貫通孔４１３ｓ」に挿通され、前後に向けられた軸心に沿って前後に進退可能とされている。また、このプランジャ４ｐは、常に、付勢手段の付勢力によって前方に付勢された状態とされ、証紙台５００（厚み；１４ｍｍ）の前面部から、所定量（例えば、１０ｍｍ）だけ、突出した状態とされる。そして、このガラス扉枠スイッチ４ｓにおいては、プランジャ４ｐが付勢手段の付勢力に対抗しつつ、後方に押圧され、「後方への移動限界位置（以下、「後方限界位置」という。）」に移動し、証紙台５００の前面部から突出量が少なくなると（例えば、突出量が、５ｍｍ）になると、プランジャ４ｐの後端部が、「所定の接点（図示を省略）」に当接して、「ＯＦＦ信号」を出力する。一方、このプランジャ４ｐが前進し、このプランジャ４ｐが「後方限界位置」を外れると、プランジャ４ｐの後端部が、「所定の接点（図示を省略）」から離れると、「ＯＮ信号」を出力するものとされている。
【０２０１】
つまり、ガラス扉枠４を本体枠３に対して閉鎖状態とするための動作を施すと、「ガラス扉枠４の押圧用突起４１Ｍ」が、プランジャ４ｐを後方に押し込む。そして、図２５（ａ）に示すように、ガラス扉枠４が本体枠３に対して閉鎖状態（具体的には、全閉状態）とされると、「押圧用突起４１Ｍで押圧されたプランジャ４ｐ」は、「後方限界位置」に移動する。このとき、ガラス扉枠スイッチ４ｓから「ＯＦＦ信号」が出力されるため、パチンコホール側は、当該遊技機１（ＯＦＦ信号の発信元）のガラス扉枠４が、閉鎖状態（全閉状態）にあることを確認することができる。
【０２０２】
一方、この「閉鎖状態（全閉状態）にあるガラス扉枠４」に開放動作が施されると、図２５（ｂ）に示すように、「ガラス扉枠４の押圧用突起４１Ｍ」と、支持体４ｔの蓋部４１ｔとの間の距離が拡大する。これにより、プランジャ４ｐが「後方限界位置」を外れ、前方に移動するため、ガラス扉枠スイッチ４ｓから「ＯＮ信号」が出力される。よって、パチンコホール側は、当該遊技機１（ＯＮ信号の発信元）のガラス扉枠４に開放動作が施されていることを認識することができる。つまり、「ガラス扉枠４が全開状態とされる場合」のみならず、「ガラス扉枠４の開放動作量が僅かな場合」においても、パチンコホール側は、当該遊技機１（ＯＮ信号の発信元）のガラス扉枠４に開放動作が施されていることを認識することができる。
【０２０３】
侵入防止部材６００は、図２６に示すように、基体部６１０と、延出部６２０とを備えている。このうち、基体部６１０は、長尺な帯状に構成され、不正対策部位Ｆと、長手幅及び短手幅が略等しくされている。この基体部６１０は、侵入防止部材６００を不正対策部位Ｆに装着したときに、不正対策部位Ｆの外側面Ｆ１に沿うように略円弧状に配置される。
【０２０４】
延出部６２０も、図２６に示すように、長尺な帯状に構成され、基体部６１０の前端縁から、斜め下方に延出している。そして、侵入防止部材６００を不正対策部位Ｆに装着し、更に、ガラス扉枠４を閉じた状態とすると、この延出部６２０は、その突端部がガラス扉枠４の裏面部４７に当接する（図２７を参照）。
【０２０５】
基体部６１０は、図２６〜図２９を用いて示されるように、略帯状の金属板を用いて構成される芯部材６１１（図３０を参照）と、樹脂を用いて構成されると共に基体部６１０の上面部６１０ａを被覆する表皮部材６１２と、を備えている。また、延出部６２０は、表皮部材６１２と同一の樹脂を用いて構成されると共に、表皮部材６１２と一体とされている。つまり、表皮部材６１２及び延出部６２０からなる一体物は、樹脂を用いて一体成形されて作成されるものである。
【０２０６】
芯部材６１１は、図３０に示すように、長尺な帯状に構成され、不正対策部位Ｆと、長手幅及び短手幅が略等しくされている。この芯部材６１１の上面部において左端側に位置する部位には、第１の取付用突起６１３が、略Ｌ字状となりつつ、上方に向かって突出している。つまり、図３１（ａ）に示すように、この第１の取付用突起６１３は、芯部材６１１の上面部の上方に突出する第１の突出片６１３ａと、この第１の突出片６１３ａの突端部から、芯部材６１１の上面部に略平行の方向に突出する（但し、自由端に向かって僅かに上がり傾斜となるように突出する）掛止片６１３ｂと、を備える。
【０２０７】
尚、掛止片６１３ｂは掛止部の具体例を構成すると共に、第１の突出片６１３ａ及び掛止片６１３ｂは何れも平板状とされている。また、第１の取付用突起６１３の自由端、つまり、掛止片６１３ｂの突端部は、芯部材６１１の右端方向を指向している。但し、掛止片６１３ｂの突端部が指向する方向は、他の方向（芯部材６１１の左端方向、芯部材６１１の前方向、芯部材６１１の後方向等）等であってもよい。
【０２０８】
侵入防止部材６００を不正対策部位Ｆに装着すると、「第１の突出片６１３ａ」は遊技領域１１の半径内側方向に突出する状態に配置される。また、掛止片６１３ｂは、第１の突出片６１３ａの突端部から遊技領域１１を周回する方向に屈曲して（左方向に周回するように屈曲して）、突出する状態に配置される（図３２を参照）。
【０２０９】
芯部材６１１の右端部では、図２６及び図３１（ｃ）に示すように、第２の取付用突起６１４が下方に向かって突出している。この第２の取付用突起６１４は、芯部材６１１の右端部と略直交する平板状に構成されている。そして、侵入防止部材６００を不正対策部位Ｆに装着すると、「第２の取付用突起６１４」は遊技領域１１の半径外側方向に突出する状態に配置される。
【０２１０】
図３１（ｂ）に示すように、芯部材６１１の下面部であって、芯部材６１１の右端部寄りの部位からは、下部板バネ部６１５が突出している。この下部板バネ部６１５は、芯部材６１１の右端部寄りの部位に略コの字状に切り込み部を設けると共に、芯部材６１１のうちで、当該「切り込み部」で囲まれて部位を、芯部材６１１の下方に屈曲させて構成されている。
【０２１１】
この芯部材６１１の下面部から下り傾斜状に突出している。そして、自由端を基体部６１０の下面部に近接させて撓んだ状態とすると（芯部材６１１の下面部を基準とする傾斜角度Ｘが小さくなるように、下部板バネ部６１５を撓ませると）、下部板バネ部６１５には、自由端を基体部６１０の下面部から離間させるような付勢力（傾斜角度Ｘを復元する方向への付勢力）を生する。
【０２１２】
表皮部材６１２は、図２６に示すように、芯部材６１１の上面部のうちで、芯部材６１１の左右の端部側を除く部位を被覆するものである。この表皮部材６１２は、図２８に示すように、芯部材６１１の上面部と面当接する本体部６１２ａと、本体部６１２ａの左右の端縁に設けられ、略Ｌ字状の断面を備える把持部６１２ｂ、６１２ｃを備える。
【０２１３】
表皮部材６１２は、把持部６１２ｂ、６１２ｃの突端部を芯部材６１１の下面部に回り込ませた状態で、芯部材６１１に装着される。尚、表皮部材６１２を芯部材６１１に装着しても、芯部材６１１の両端部側と、芯部材６１１の裏面部の大部分は、表皮部材６１２で被覆されない。このため、第１の取付用突起６１３と、第２の取付用突起６１４と、下部板バネ部６１５は、外部に露呈した状態となる。
【０２１４】
次に、侵入防止手段３００の装着の手順の一例を述べる。先ず、証紙台５００が、遊技盤１０の右外領域部ＭＲに装着される。この装着は、不正対策部位Ｆの外側面Ｆ１と、上壁板部５０３ｃの上面部５０７（支持部）とが、所定の隙間（基体部６１０を挿入可能な間隔であって、例えば、基体部６１０の肉厚の１．０２倍〜１．８０倍の間隔の隙間）をおいて対向するように装着される。この際、不正対策部位Ｆの外側面Ｆ１と、上壁板部５０３ｃの上面部５０７（支持部）とは略平行とされる。そして、証紙台５００の前方から、切り欠き部５０８ａ、５０８ｂを通じて、ビス挿通孔５０６ａ、５０９ａにビスを装着して、証紙台５００は遊技盤１０の右外領域部ＭＲに固定される。
【０２１５】
この後、侵入防止部材６００が不正対策部位Ｆに装着される。先ず、図３２（ａ）に示すように、第１の取付用突起６１３を貫通孔ｑに位置合わせする（遊技領域１１の半径に沿って位置合わせする）。この後、第１の取付用突起６１３を貫通孔ｑに挿入する。更に、基端部６１０を不正対策部位Ｆの外側面Ｆ１の外側で、領域レール部ｒの左回転方向に移動し、第１の取付用突起６１３を貫通孔ｑ内で左回転方向に移動する。尚、貫通孔ｑの左右方向に沿った幅が、掛止片６１３ｂ（つまり、掛止部）の左右方向に沿った幅よりも大きくされているため、第１の取付用突起６１３は貫通孔ｑに対して円滑に挿入できる。
【０２１６】
これにより、図３２（ｂ）に示すように、第１の取付用突起６１３が第１の被掛止部Ｑに掛止される。即ち、第１の突出片６１３ａ（前述の挿通部を構成）が、貫通孔ｑに挿通され、掛止片６１３ｂ（つまり、掛止部）が第１の被掛止部Ｑに掛止される。このとき、掛止片６１３ｂは第１の被掛止部Ｑに対して、遊技領域１１の半径外側方向に向かって当接（面当接）され、掛止片６１３ｂは第１の被掛止部Ｑに掛止される。このため、侵入防止部材６００の左端部側６００Ｌ（図１５を参照）は、第１の取付用突起６１３を用いて不正対策部位Ｆに取り付けられる。
【０２１７】
続いて、侵入防止部材６００の右端部側６００Ｒ｛図３３（ａ）｝を、不正対策部位Ｆの外側面Ｆ１と、上壁板部５０３ｃの上面部５０７（支持部）との間の隙間部Ｓ１｛図３３（ａ）｝に挿入する。この挿入作業は、図２３に示すように、右端部側６００Ｒを、証紙台５００の前方から隙間部Ｓ１に挿入する作業である。この挿入作業の際、第２の取付用突起６１４は、切り欠き部５０７ｇを通過して隙間Ｓ１内に前方から後方に向かって進入する。これにより、第２の取付用突起６１４の突端部側は、溝部５０７ａ（第２の被掛止部）の入口側に進入した状態となる。
【０２１８】
この後、第２の取付用突起６１４を溝部５０７ａ（第２の被掛止部）に対し、半径外側方向に沿って直線状（直進状）に挿入し、第２の取付用突起６１４を溝部５０７ａ（第２の被掛止部）の内壁部に掛止する。つまり、この掛止は、図３２に示すように、遊技領域１１の半径外側方向に突出する第２の取付用突起６１４を、遊技領域１１の中心部の方向と、前方に開口する溝部５０７ａ（第２の被掛止部）に挿入するだけで完了する。
【０２１９】
この際、略平板状の「第２の取付用突起６１４」は、その表裏面を、斜め右下り傾斜状としつつ（遊技領域１１の半径外側方向に沿って右下り傾斜状としつつ）、斜め右下り傾斜状（遊技領域１１の半径外側方向に沿って右下り傾斜状）の溝部５０７ａ（第２の被掛止部）に収まった状態となる。そして、第２の取付用突起６１４の一つの側面６１４ａ（左方向を向いた側面）が、溝部５０７ａ（第２の被掛止部）の内壁部を構成する一つの面部分（溝部５０７ａの左端に位置し、右方向を指向する面部分ある。）５０７ｇに当接（面当接）し、第２の取付用突起６１４の溝部５０７ａ（第２の被掛止部）への掛止を完了する。
【０２２０】
以上のように、侵入防止部材６００の取付を完了すると、基体部６１０は不正対策部位Ｆの外側面Ｆ１に沿うように略円弧状に配置される。このとき、基体部６１０は、不正対策部位Ｆの外側面Ｆ１に密着する。そして、本実施例では、下部板バネ部６１５等の作用で、基体部６１０の不正対策部位Ｆの外側面Ｆ１に対する密着度が高められる。つまり、第２の取付用突起６１４を溝部５０７ａ（第２の被掛止部）に掛止すると、下部板バネ部６１５が、その突端部を支持突部５０７ｂに当接させる。この際、下部板バネ部６１５がその自由端を基体部６１０の下面部に近接させるように撓み、圧縮された状態となる。このため、下部板バネ部６１５の付勢力（復元力）を用いて、侵入防止部材６００の右端部側６００Ｒが、不正対策部位Ｆの方向に押圧されるからである。
【０２２１】
このように、侵入防止部材６００を、不正対策部位Ｆに装着すると、図２９に示すように、延出部６２０は、不正対策部位Ｆの斜め下方に突出する。そして、ガラス扉枠４を閉じた状態とすると、図２７及び図２８に示すように、延出部６２０の突端部がガラス扉枠４の裏面部に当接する。これにより、「下方から大入賞装置３１に向かって不正部材Ｊを侵入させる侵入経路」を遮断することができる。
【０２２２】
（３）実施例の効果
【０２２３】
本実施例によると、「ガラス扉枠４に不正な開放動作が施された時点（ガラス扉枠４が無理に、こじ開けられた時点）」で、この開放動作をガラス扉枠スイッチ４ｓ（検知手段）によって検知することができる。つまり、「ガラス扉枠４と本体枠３との間に存在する隙間部に、不正補助具を差し込む行為」が、素早く、行われたとしても、ガラス扉枠スイッチ４ｓによって不正行為の実行を早期に発見することができる。よって、「不正行為の主体をなす不正部材（ピアノ線や針金等）」が遊技機の内部に差し込まれる前の段階で、素早く、対処することができる。
【０２２４】
また、本実施例において、遊技盤１０の前面部１０ａよりも前方に突出する証紙台５００を介して遊技盤１０に装着される。加えて、ガラス扉枠スイッチ４ｓが、「ガラス扉枠４において、ヒンジｈ１、ｈ２（ヒンジ機構）から離間し、開放動作を施す際に（こじ開ける際に）、変位や撓みが大きくなる部位」に配置される。従って、これらに点からも、「ガラス扉枠４に施される不正な開放動作」を「より確実に、しかも、素早く、検知すること」ができる。
【０２２５】
また、本実施例では、証紙５００Ｓに対して、袋小路（大入賞装置３１の方向には行き止まりとなる袋小路）」のような状態の「侵入防止壁ＦＢ」を形成している。このため、図２０に示すように、不正行為者が、運良く（ガラス扉枠スイッチ４ｓによる検知を、かいくぐって）、ガラス扉枠４の背後に、「不正部材Ｔの先端部Ｔ１」を侵入させ、更に、右下窓部４１Ｒを頼りにしつつ、この先端部Ｔ１を「ガラス扉枠４の背面部４Ｈと証紙５００Ｓとの間」に到達させたとしても、この先端部Ｔ１は、侵入防止壁ＦＢ（特に、不正防止用リブＦＲ）に衝突する可能性が高くなる。
【０２２６】
つまり、「ガラス扉枠４に施される不正な開放動作を、ガラス扉枠スイッチ４ｓによって検知できない場合（例えば、ノイズ等の影響で検知できなかったり、ガラス扉枠４の開放動作量が検知できないほど、微量である場合）」等を生じても、不正部材Ｔの先端部Ｔ１は、侵入防止壁ＦＢに衝突する可能性が高くなる。よって、本実施例によると、不正部材Ｔの先端部Ｔ１を、遊技領域１１の方向（大入賞装置３１の方向）に侵入させることが困難である。
【０２２７】
また、本実施例では、図２０に示すように、「侵入防止壁ＦＢ」の一部が、「侵入防止壁ＦＢの外側に到達する不正部材Ｔの進行方向」を変更するための「侵入方向変化壁ＦＢＨ」を構成する。ここで、本実施例において、「侵入防止壁ＦＢの外側」とは、「中間円弧部５０７Ｖ及び第１のリブ５０２Ｒの下側であって、しかも、第２のリブ５０２Ｓ及び支持体４ｔ」の右側に位置する箇所を指す。
【０２２８】
即ち、「侵入防止壁ＦＢ」の「左端側下半部」は、「略円筒状の支持体４ｔ」によって構成されている。この「支持体４ｔの外周部の一部」が、「右方向に凸となる略円弧状」とされつつ、この「侵入方向変化壁ＦＢＨ」を構成している。そして、図２０に示すように、「侵入防止壁ＦＢ」の外側に到達した「先端部Ｌ１（不正部材Ｌの先端部Ｌ１）」が、この侵入方向変化壁ＦＢＨに衝突した場合、この先端部Ｌ１は、侵入方向変化壁ＦＢＨに対して摺動しつつ、その進行方向（侵入方向）が変更することになるからである。
【０２２９】
例えば、図２０に示すように、不正行為者が、不正部材Ｌの先端部Ｌ１を、「ガラス扉枠４の右下の角部寄りの箇所」から左斜め上方へ進行させて、大入賞装置３１に到達させようとしていた場合に、この先端部Ｌ１の進行方向を、「不正行為者の意図に反する方向（例えば、右斜め上方）」に変更することができる。つまり、本実施例においては、「侵入方向変化壁ＦＢＨ」を設ける点からも、不正行為の遂行が困難なものとされている。
【０２３０】
このように、本実施例においては、証紙台５００に的確な改良を施すことで、「証紙台５００」の機能を維持しつつも、不正行為の早期発見が可能で、しかも、不正行為の遂行がより困難な遊技機１が得られる。また、本実施例の遊技機によると、このように、不正行為が早期に発見され、しかも、不正行為の遂行が困難なため、不正行為者の側で、不正行為の実行を回避することになり易く、不正行為を抑制されることになる。
【０２３１】
更に、本実施例では、不正対策部位Ｆに装着された侵入防止部材６００によっても、「不正行為の遂行」を困難なものとできる。例えば、不正行為者が、「証紙５００Ｓ付きの証紙台５００」の前方の空間部分を「ガラス扉枠４の前方から視認可能な通過路」として使用しても、不正部材Ｔ、Ｌの先端部Ｔ１、Ｌ１が、侵入防止部材６００に衝突して、その行く手が遮られる可能性を生ずるからである。特に、本実施例では、「レール部材Ｒにおいて、その下半側の広範な部位」が不正対策部位Ｆされ、この不正対策部位Ｆに侵入防止部材６００装着されている。このため、本実施例によると、「領域レール部Ｒの下方の広範な位置から大賞装置３１を狙う不正行為」にも、対処可能である。
【０２３２】
また、本実施例によると、「遊技機１を構成する遊技機部品」として汎用的に使用される証紙台５００に改良を加え、この証紙台５００を、「ガラス扉枠スイッチ４ｓを遊技盤１０に取り付けるための取付部材」として利用する。このため、本実施例に係る構成を採用することが原因で、遊技機１を構成する部品点数が増加したり、遊技盤１０の構造が複雑化することはない。
【０２３３】
更に、本実施例では、第１の取付用突起６１３を遊技領域１１の半径内側方向に突出する状態で配置される略フック形状に構成し、第２の取付用突起６１４を、遊技領域１１の半径外側方向に突出する状態で配置される略平板状に構成する。そして、第１の取付用突起６１３の掛止片６１３ｂ（掛止部）を、第１の被掛止部Ｑに掛止し、侵入防止部材６００の左端部側を不正対策部位Ｆの左端部側に掛止した（引っ掛けた）後、第２の取付用突起６１４を第２の被掛止部（溝部５０７ａ）に挿入し、侵入防止部材６００の右端部側を証紙台５００に掛止する。
【０２３４】
つまり、本実施例では、後から掛止される「第２の取付用突起６１４」が、フック状ではなく、略平板状構成され、その掛止も、第２の被掛止部（溝部５０７ａ）に、「単に挿入するだけ」で完了する。このため、左右の取付用突起６１３、６１３ｅの間隔と、第１の被掛止部Ｑ及び第２の被掛止部（溝部５０７ａ）の間隔との間にクリアランス（遊び）を無くしたり、少なくしても、侵入防止部材６００の取付を円滑に行うことができる。
【０２３５】
そして、このようにクリアランス（遊び）を無くすること等が可能であると共に、不正対策部位Ｆの右端部側が証紙台５００（支持部）によって支持されるため、侵入防止部材６００が、不必要に下方に弛んだ状態となることはない。しかも、下部板バネ部６１５の付勢力を用いて、基体部６１０の不正対策部位Ｆの外側面Ｆ１に対する密着度が高められている。従って、本実施例によると、侵入防止部材６００の取付状態の良好化の要請と取付作業の円滑化の要請とを同時に満足させることができる。
【０２３６】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０２３７】
即ち、図３５及び図３６に示す「変形例１」のように、本体枠３の前面部３ａのうちで、「右上の角部寄りの箇所」に対しても、「ガラス扉枠スイッチ４ｖ」を配設することもできる。つまり、各請求項の発明の遊技機においては、各請求項の「検知手段（例えば、実施例のガラス扉枠スイッチ４ｓ）」と共に、この「上方検知手段（変形例１で付加されるガラス扉枠スイッチ４ｖ）」を備えてもよい。
【０２３８】
このガラス扉枠スイッチ４ｖも、ガラス扉枠スイッチ４ｓと同様な構成を備えている。具体的には、このガラス扉枠スイッチ４ｖも、「ＯＮ・ＯＦＦ信号」を出力可能な「リミットスイッチ」を用いて構成されている。つまり、このガラス扉枠スイッチ４ｖは、前述の支持体４ｔと同様な支持体４ｗと、前述のプランジャ４ｐと同様なプランジャ４ｘと、このプランジャ４ｘを前方に付勢するための付勢手段（図示を省略）とを備えている。
【０２３９】
このガラス扉枠スイッチ４ｖにおいても、プランジャ４ｘが付勢手段の付勢力に対抗しつつ、後方に押圧され、「後方限界位置」に移動すると、「ＯＦＦ信号」を出力する。一方、このプランジャ４ｘが前進し、このプランジャ４ｘが「後方限界位置」を外れると、「ＯＮ信号」を出力するものとされている。
【０２４０】
また、ガラス扉枠４の後面部において、プランジャ４ｘの突端部（前端部）と前後に位置合わせされる部位（つまり、ガラス扉枠４を本体枠３に対して閉鎖状態としたときに、前後に位置合わせされる部位）にも、「押圧用突起４１Ｎ」が設けられている（ガラス扉枠４の後方に突出する状態に設けられている）。更に、図示を省略するが、変形例１においては、ガラス扉枠スイッチ４ｓのみならず、このガラス扉枠スイッチ４ｖも、中継端子板２８０を介して払出制御部２４０Ａ（払出制御基板２４０）に接続されている。
【０２４１】
この変形例１においては、ガラス扉枠４を本体枠３に対して閉鎖する動作を施すと、押圧用突起４１Ｍがプランジャ４ｐを後方に押し込むと共に、押圧用突起４１Ｎがプランジャ４ｘを後方に押し込む。このとき、プランジャ４ｐ及びプランジャ４ｘは「後方限界位置」に移動するため、ガラス扉枠スイッチ４ｓ及びガラス扉枠スイッチ４ｖｓから「ＯＦＦ信号」が出力される。
【０２４２】
また、この閉鎖状態（全閉状態）にあるガラス扉枠４に、通常の開放動作（施錠装置７を解錠操作して行われる通常の開放動作）が施されると、「押圧用突起４１Ｍと、支持体４ｔの蓋部４１ｔとの間の距離」と、「押圧用突起４１Ｎと、支持体４ｗの蓋部４１ｗとの間の距離」とが同様なペースで拡大する。これにより、両プランジャ４ｐ、４ｘが同様なペースで「後方限界位置」を外れ、前方に移動するため、両ガラス扉枠スイッチ４ｓ、４ｖから略同時に「ＯＮ信号」が出力される。
【０２４３】
これに対して、図３７（ａ）に示すように、閉鎖状態（全閉状態）にあるガラス扉枠４の下端部側（右下の角部寄りの箇所）に、不正補助具Ｂの先端部Ｂ１を差し込み、ガラス扉枠４の下端部側（右下の角部寄りの箇所）をこじ開けると、図３７（ｂ）及び図３８に示すように、「押圧用突起４１Ｍと、支持体４ｔの蓋部４１ｔとの間の距離」と、「押圧用突起４１Ｎと、支持体４ｗの蓋部４１ｗとの間の距離」とが同様なペースでは、拡大しない。つまり、「押圧用突起４１Ｍと、支持体４ｔの蓋部４１ｔとの間の距離」の方が、「押圧用突起４１Ｎと、支持体４ｗの蓋部４１ｗとの間の距離」よりも速く拡大するか、若しくは、「押圧用突起４１Ｍと、支持体４ｔの蓋部４１ｔとの間の距離」のみが拡大する。
【０２４４】
このため、プランジャ４ｐがプランジャ４ｘに先行して「後方限界位置」を外れるか、若しくは、プランジャ４ｐのみが、「後方限界位置」を外れる。このため、「ガラス扉枠スイッチ４ｓのＯＮ信号」が、「ガラス扉枠スイッチ４ｖのＯＮ信号」に先行して出力されるか、「ガラス扉枠スイッチ４ｓのＯＮ信号」のみが出力される。
【０２４５】
尚、閉鎖状態（全閉状態）にあるガラス扉枠４の上端部側（右上の角部寄りの箇所）に、不正補助具の先端部Ｗ１を差し込み、ガラス扉枠４の上端部側（右上の角部寄りの箇所）をこじ開けると、「ガラス扉枠スイッチ４ｖのＯＮ信号」が、「ガラス扉枠スイッチ４ｓのＯＮ信号」に先行して出力されるか、「ガラス扉枠スイッチ４ｖのＯＮ信号」のみが出力される。
【０２４６】
この変形例１において、主制御部２００Ａ（主制御基板２００）やホールコンピュタＨＰＣは、例えば、図３９に示すような「開放検知処理」を実行することもできる。つまり、主制御部２００Ａが、ＯＮ信号（検知信号）を受信した場合（Ｓ１２；ＹＥＳ）、「ガラス扉枠スイッチ４ｓのＯＮ信号」と、「ガラス扉枠スイッチ４ｖのＯＮ信号」とを受信したか否かを判断する（Ｓ１４）。
【０２４７】
そして、両「ＯＮ信号（検知信号）」を受信した場合（Ｓ１４；ＹＥＳ）は「開放検知処理」を終了するが、一方の「ＯＮ信号」のみが受信された場合（Ｓ１４；ＮＯ）は、「警告処理（Ｓ１６）」を実行した後に、「開放検知処理」を終了する。この「警告処理（Ｓ１６）」においては、例えば、（１）スピーカーＳＰ１〜ＳＰ４を用いた警告音の出力、（２）ＬＥＤ基板４ｂ〜４ｈを用いた警告光の発光、（３）中央表示装置２７の表示画面２７ａを用いた「警告画像」の表示等を行うことができる。また、パチンコホール内の防犯カメラによって、不正行為者等を撮影することとしてもよい。
【０２４８】
変形例１によると、実施例１の効果に加えて、以下の効果を得ることができる。例えば、「ガラス扉枠スイッチ４ｖ」を備える遊技機（既存の遊技機１）等において、証紙台を、実施例に示す証紙台５００（ガラス扉枠スイッチ４ｓが装着された証紙台５００）に交換するか、「ガラス扉枠スイッチ４ｖ」を備える遊技機（既存の遊技機１）の証紙台にガラス扉枠スイッチ４ｓを付加するだけ、「不正行為の防止」に効果的な遊技機１を得ることができる。つまり、既存の遊技機１等に対して、複雑な改良を施さなくても、「不正行為の防止」に効果的な遊技機１を得ることができる。尚、この変形例１においては、本体枠３の前面部３ａの「右上角周辺部」の代わりに、遊技盤１０の前面部１０ａの「右上角周辺部」に、「ガラス扉枠スイッチ４ｖ」を配設することもできる。
【０２４９】
また、不正防止用リブＦＲの形成態様は、本実施例に示す態様に限定されない。例えば、図４０（ａ）変形例２のように、「証紙５００Ｓ付きの証紙台５００（つまり、外側装着部材）」の前面部において、証紙５００Ｓ（情報表示部）の周囲を包囲する状態に形成されてもよい。また、図４０（ｂ）の変形例３のように、「証紙５００Ｓ付きの証紙台５００（つまり、外側装着部材）」の前面部のうちで、証紙５００Ｓ（情報表示部）の周囲において、直線状の設けられる態様を例示することもできる。更に、図４０（ｃ）の変形例４のように、「証紙５００Ｓ付きの証紙台５００（つまり、外側装着部材）」の前面部のうちで、証紙５００Ｓ（情報表示部）の周囲において、「所定の間隔で配置される複数のリブ片ＦＲ１」を用いて構成される態様を例示することもできる。
【０２５０】
また、本実施例と異なり、侵入防止部材の右端部側に第１の取付用突起を設け、侵入防止部材の左端部側に第２の取付用突起を設けると共に、不正対策部位の右端部側に第１の取付用突起を設け、不正対策部位の左端部側に第２の取付用突起を設けてもよい。また、外側装着部材は証紙台５００に限定されない。例えば、外領域Ｍに、証紙台５００と共に他の外側装着部材を装着し、当該他の外側装着部材に対して「第２の被掛止部」を設けてもよい。
【０２５１】
更に、本実施例と異なり、右外領域部ＭＲと、左外領域部ＭＬとに各々、別個の外側装着部材を装着してもよい。この場合、基体部の左右方向に沿った各端部側に対して、遊技領域の外側方向に突出する状態に配置される突出片によって構成される掛止部を設ける。そして、第１の部材の支持部と、第２の部材の支持部との各々に対して、掛止部が挿入状に掛止される被掛止部を設けてもよい。
【０２５２】
各請求項の発明では、図４１（ａ）に示す変形例５のように、基体部６１０の下面部から延出部６２０を延出させてもよい。また、請求項１の発明では、図４１（ｂ）に示す変形例６のように、第１の被掛止部Ｑを、不正対策部位Ｆの外側面の側に設けてもよい。
【０２５３】
更に、図４１（ｃ）に示す変形例７のように、第２の取付用突起６１４を略平板状以外の形状（例えば、屈曲する板状）に設けてもよい。つまり、第２の被掛止部８００に挿入されて、その内壁部に掛止可能（つまり、第２の被掛止部８００に挿入するだけでその内壁部に掛止可能）であれば、その形状を特に問わない。
【０２５４】
また、本実施例では、「ガラス扉枠４を閉鎖状態としたときに、ガラス扉枠スイッチ４ｓ（プランジャ４ｐ）を押圧するための部位（以下、「押圧部位」という。）」を、押圧用突起４１Ｍによって構成する態様を例示した。但し、各請求項の発明において、この「押圧部位の構成態様」は、これに限定されず、例えば、「透明板４１Ｇ（図８を参照）によって「押圧部位」を構成する態様」を例示することもできる。つまり、ガラス扉枠４を閉鎖状態としたときに、透明板４１Ｇによって、ガラス扉枠スイッチ４ｓ（プランジャ４ｐ）を押圧する態様」を例示することもできる。尚、この「透明板４１Ｇによって押圧部位を構成する態様」によると、ガラス扉枠４の後面部から、「押圧部位を構成するためだけの部材（つまり、押圧用突起４１Ｍ）」を排除することができる。また、各請求項の発明においては、扉枠本体４１に装着される「他の部材（押圧用突起４１Ｍや透明板４１Ｇ以外の部材）」によって「押圧部位」構成することもできる。更に、各請求項の発明においては、扉枠本体４１によって「押圧部位」構成することもできる。
【産業上の利用可能性】
【０２５５】
本発明は、遊技機を製造、販売等する分野において利用できる。
【図面の簡単な説明】
【０２５６】
【図１】本発明の実施例に係る遊技機を示す斜視図である。
【図２】本発明の実施例に係る遊技機を示す正面図である。
【図３】侵入防止部材の装着状態を説明するために、遊技盤、ガラス扉枠及び上皿扉体等を示す説明図である。
【図４】本発明の実施例に係る遊技機において、ガラス扉枠及び受皿扉体が開いた状態を示す模式的な斜視図である。
【図５】本発明の実施例に係る遊技機において、ガラス扉枠を外した状態の模式的な正面図である。
【図６】本発明の実施例に係る遊技機において、ガラス扉枠が開いた状態を示す説明図である。
【図７】本発明の実施例に係る遊技機を構成する係合機構を説明するための説明図である。
【図８】（ａ）は本発明の実施例に係る遊技機において、ガラス扉枠の一部背面図であり、（ｂ）は図８（ａ）の８−８断面図である。
【図９】本発明の実施例に係る遊技機において、遊技盤を示す正面図である。
【図１０】本発明の実施例に係る遊技機において、不正対策部位及び領域レール部等を説明するための説明図である。
【図１１】（ａ）は、本発明の各実施例において、左下表示装置の概略的な正面図であり、（ｂ）は、本発明の各実施例において、右下表示装置の概略的な正面図である。
【図１２】本発明の実施例に係る遊技機において、上皿部材等を説明するための概略的な説明図である。
【図１３】本発明の実施例に係る遊技機を示す裏面図である。
【図１４】本発明の各実施例に係る電子制御装置を示すブロック図である。
【図１５】本発明の各実施例に係る電子制御装置を示すブロック図である。
【図１６】本発明の各実施例に係る電子制御装置を示すブロック図である。
【図１７】本発明の実施例に係る侵入防止手段（証紙台及び侵入防止部材）と、不正対策部位を示す正面図である。
【図１８】本発明の実施例に係る証紙台の斜視図である。
【図１９】本発明の実施例に係る証紙台の縦断面図（図２３の１１−１１断面に相当する断面図）である。
【図２０】本発明の実施例に係る証紙台の縦断面図（図２３の１０−１０断面に相当する断面図）である。
【図２１】本発明の実施例に係る証紙台の縦断面図（図２０の３−３断面に相当する断面図）である。
【図２２】本発明の実施例に係る証紙台の背面図である。
【図２３】本発明の実施例に係る証紙台の平面図である。
【図２４】（ａ）はガラス扉枠スイッチを説明するための概略的な横断面図であり、（ｂ）はガラス扉枠スイッチを説明するための概略的な縦断面図である。
【図２５】（ａ）はガラス扉枠が本体枠に対して閉鎖状態にある場合の概略的横断面図であり、（ｂ）はガラス扉枠が開放動作を実行した場合の概略的な横断面図である。
【図２６】本発明の実施例に係る侵入防止手段の斜視図である。
【図２７】本発明の実施例に係る侵入防止部材の取付状態（前面枠を閉じた状態）を説明するための説明図である。
【図２８】図２７の要部拡大図である。
【図２９】本発明の実施例に係る侵入防止部材の取付状態（前面枠を開いた状態）を説明するための説明図である。
【図３０】芯部材の平面図である。
【図３１】（ａ）は図３０のａ−ａ断面図であり、（ｂ）は図３０のｂ−ｂ断面図であり、（ｃ）は図３０のｃ−ｃ断面図である。
【図３２】（ａ）及び（ｂ）は第１の取付用突起の取付方法を説明するための説明図である。
【図３３】（ａ）及び（ｂ）は第２の取付用突起の取付方法を説明するための説明図である。
【図３４】第２の取付用突起の掛止状態を説明するための説明図である。
【図３５】変形例１に係る遊技機において、ガラス扉枠が開いた状態を示す説明図である。
【図３６】図３５のｄ−ｄ断面図である。
【図３７】（ａ）及び（ｂ）はガラス扉枠をこじ開ける様子を示す概略的な縦断面図である。
【図３８】（ａ）はガラス扉枠をこじ開ける様子を説明するための概略的な横断面図（図３５のｅ−ｅ断面に相当）であり、（ｂ）はガラス扉枠をこじ開ける様子を説明するための概略的な横断面図（図３５のｆ−ｆ断面に相当）である。
【図３９】変形例１において、開放検知処理を説明するためのフロー図である。
【図４０】（ａ）は変形例２を示す説明図であり、（ｂ）は変形例３を示す説明図であり、（ｃ）は変形例４を示す説明図である。
【図４１】（ａ）は変形例５を示す説明図であり、（ｂ）は変形例６を示す説明図であり、（ｃ）は変形例７を示す説明図である。
【図４２】従来例を示す説明図である。
【図４３】従来例を示す説明図である。
【符号の説明】
【０２５７】
１；遊技機、
４；ガラス扉枠、
４ｓ、４ｖ；ガラス扉枠スイッチ、
１０；遊技盤、
１０ａ；前面部、
１１；遊技領域、
３００；侵入防止手段、
５００；証紙台、
５００Ｓ；証紙、
５０７；上壁板部の上面部（支持部）、
５０７ａ；溝部（第２の被掛止部）、
６１０；基体部、
６２０；延出部、
６１１；芯部材、
６１２；表皮部材、
６１３；第１の取付用突起、
６１３ａ；第１の突出片、
６１３ｂ；掛止片、
６１４；第２の取付用突起、
６１５；下部板バネ部。
Ｆ；不正対策部位、
Ｆ１；外側面、
Ｆ２；内側面、
Ｑ；第１の被掛止部、
Ｒ；レール部材、
ｒ；領域レール部。
証紙台５００及び証紙５００Ｓ；外側装着部材、
ＦＲ；不正防止用リブ。
【図１】
2008206893.tif 000003
【図２】
2008206893.tif 000004
【図３】
2008206893.tif 000005
【図４】
2008206893.tif 000006
【図５】
2008206893.tif 000007
【図６】
2008206893.tif 000008
【図７】
2008206893.tif 000009
【図８】
2008206893.tif 000010
【図９】
2008206893.tif 000011
【図１０】
2008206893.tif 000012
【図１１】
2008206893.tif 000013
【図１２】
2008206893.tif 000014
【図１３】
2008206893.tif 000015
【図１４】
2008206893.tif 000016
【図１５】
2008206893.tif 000017
【図１６】
2008206893.tif 000018
【図１７】
2008206893.tif 000019
【図１８】
2008206893.tif 000020
【図１９】
2008206893.tif 000021
【図２０】
2008206893.tif 000022
【図２１】
2008206893.tif 000023
【図２２】
2008206893.tif 000024
【図２３】
2008206893.tif 000025
【図２４】
2008206893.tif 000026
【図２５】
2008206893.tif 000027
【図２６】
2008206893.tif 000028
【図２７】
2008206893.tif 000029
【図２８】
2008206893.tif 000030
【図２９】
2008206893.tif 000031
【図３０】
2008206893.tif 000032
【図３１】
2008206893.tif 000033
【図３２】
2008206893.tif 000034
【図３３】
2008206893.tif 000035
【図３４】
2008206893.tif 000036
【図３５】
2008206893.tif 000037
【図３６】
2008206893.tif 000038
【図３７】
2008206893.tif 000039
【図３８】
2008206893.tif 000040
【図３９】
2008206893.tif 000041
【図４０】
2008206893.tif 000042
【図４１】
2008206893.tif 000043
【図４２】
2008206893.tif 000044
【図４３】
2008206893.tif 000045